(57)【要約】  食肉用四つ足動物を肉および／または肉製品１種または２種以上として消費する目的で処理する方法を記述する。この方法は、Ｉ）前記生きている動物の外側表面を少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させるが、前記接触を、前記動物を食肉処理している途中であるが、放血で屠殺する前に少なくとも１回実施するか、或はＩＩ）放血後の前記動物の屠体を少なくとも（ｉ）水および（ｉｉ）少なくとも１種の１，３−ジブロモ−５，５−ジアルキルヒダントインを一緒に混合することで生じさせた殺微生物剤溶液と接触させるか、或はＩＩＩ）前記屠体に由来する少なくとも１種の生肉製品および／または少なくとも１種の加工肉製品を接触させることを含んで成る。この接触はＩ）、ＩＩ）およびＩＩＩ）の各々で１回以上実施可能である。そのような方法を用いるとかなりの利点が実現され、それらを説明する。
2008525021.tif 000002
【特許請求の範囲】
【請求項１】
肉および／または肉製品１種または２種以上として消費するための食肉用四つ足動物の処理方法であって、
Ｉ）生きている動物の外側表面を、少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させるが、前記接触を、動物を屠殺処理している途中であるが、放血により死ぬ前に少なくとも１回実施するか、或は
ＩＩ）放血後の前記動物の屠体を、少なくとも（ｉ）水および（ｉｉ）少なくとも１種の１，３−ジブロモ−５，５−ジアルキルヒダントインを一緒に混合することで生じさせた殺微生物剤溶液と接触させるか、或は
ＩＩＩ）前記屠体に由来する少なくとも１種の生肉製品および／または少なくとも１種の加工肉製品を、少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させるか、或は
ＩＶ）Ｉ）、ＩＩ）およびＩＩＩ）の中のいずれか２つまたは３つ全部を実施する、
ことを含んで成る方法。
【請求項２】
少なくともＩ）を実施する請求項１記載の方法。
【請求項３】
少なくともＩＩ）を実施する請求項１記載の方法。
【請求項４】
少なくともＩＩＩ）を実施する請求項１記載の方法。
【請求項５】
Ｉ）、ＩＩ）およびＩＩＩ）の中のいずれか２つまたは３つ全部を実施する請求項１記載の方法。
【請求項６】
少なくともＩ）を実施し、そしてＩ）における接触を、屠殺場または食肉包装工場の周囲の外側で少なくとも１回実施する請求項１記載の方法。
【請求項７】
少なくともＩ）を実施し、そしてＩ）における接触を、動物屠体を処理する屠殺場または食肉包装工場内の領域に影響を及ぼす殺微生物剤混入の度合が最低限になるように、屠殺場または食肉包装工場の外側周囲領域で少なくとも１回実施する請求項１記載の方法。
【請求項８】
少なくともＩ）を実施し、そしてＩ）における接触を、放血後に動物屠体を処理する屠殺場または食肉包装工場内の前記１つ以上の領域に影響を及ぼす殺微生物剤混入の度合が最低限になるように、放血前に生きている動物の処理を実施する屠殺場または食肉包装工場の１つ以上の領域で少なくとも１回実施する請求項１記載の方法。
【請求項９】
Ｉ）における接触を動物が、まだ生きている間に通るか或は通されるゾーンの中で少なくとも１回実施し、そして、前記ゾーン内で実施するＩ）における前記接触を、前記動物の外側表面に少なくとも（ｉ）水および（ｉｉ）少なくとも１種の１，３−ジブロモ−５，５−ジアルキルヒダントインを一緒に混合することで生じさせた殺微生物剤溶液を浴びせそして／または噴霧することで実施する、請求項６−８のいずれか記載の方法。
【請求項１０】
Ｉ）における接触を、動物の少なくとも蹄および下肢領域が殺微生物剤溶液に接触するように、前記動物を、少なくとも（ｉ）水および（ｉｉ）１種以上の１，３−ジブロモ−５，５−ジアルキルヒダントインを一緒に混合することで生じさせた殺微生物剤溶液が入っている少なくとも１つの浴の中に通すか或はその中に通させることでもまた実施する請求項９記載の方法。
【請求項１１】
動物を浴びせおよび／または噴霧を実施するゾーンの中に通すか或は通させる前、間および／または後に前記動物を浴の中に通すか或は通させる請求項１０記載の方法。
【請求項１２】
動物を浴びせおよび／または噴霧を実施するゾーンの中に通すか或は通させる間および／または後に前記動物を前記浴の中に通すか或は通させる請求項１０記載の方法。
【請求項１３】
動物を浴びせおよび／または噴霧を実施するゾーンの中に通したか或は通させた後に前記動物を浴の中に通すか或は通させる請求項１０記載の方法。
【請求項１４】
移動可能シャワーまたはスプレーストール内で実施する請求項９記載の方法。
【請求項１５】
移動可能シャワーまたはスプレーストール内で実施する請求項１０記載の方法。
【請求項１６】
食肉用四つ足動物をウシ、ブタおよびヒツジから選択する請求項１−８のいずれか記載の方法。
【請求項１７】
食肉用四つ足動物をウシ、ブタおよびヒツジから選択する請求項９記載の方法。
【請求項１８】
少なくとも１種の１，３−ジブロモ−５，５−ジアルキルヒダントインが１，３−ジブロモ−５，５−ジメチルヒダントインである請求項１−８のいずれか記載の方法。
【請求項１９】
少なくとも１種の１，３−ジブロモ−５，５−ジアルキルヒダントインが１，３−ジブロモ−５，５−ジメチルヒダントインである請求項９記載の方法。
【請求項２０】
１種以上の１，３−ジブロモ−５，５−ジアルキルヒダントインが１，３−ジブロモ−５，５−ジメチルヒダントインを含んで成る請求項１０記載の方法。
【請求項２１】
１種以上の１，３−ジブロモ−５，５−ジアルキルヒダントインが１，３−ジブロモ−５，５−ジメチルヒダントインを含んで成る請求項１１記載の方法。
【請求項２２】
１種以上の１，３−ジブロモ−５，５−ジアルキルヒダントインが１，３−ジブロモ−５，５−ジメチルヒダントインを含んで成る請求項１２記載の方法。
【請求項２３】
１種以上の１，３−ジブロモ−５，５−ジアルキルヒダントインが１，３−ジブロモ−５，５−ジメチルヒダントインを含んで成る請求項１３記載の方法。
【請求項２４】
少なくとも１種の１，３−ジブロモ−５，５−ジアルキルヒダントインが１，３−ジブロモ−５，５−ジメチルヒダントインを含んで成る請求項１４記載の方法。
【請求項２５】
１種以上の１，３−ジブロモ−５，５−ジアルキルヒダントインが１，３−ジブロモ−５，５−ジメチルヒダントインを含んで成る請求項１５記載の方法。
【請求項２６】
少なくとも１種の１，３−ジブロモ−５，５−ジアルキルヒダントインが１，３−ジブロモ−５，５−ジメチルヒダントインを含んで成る請求項１６記載の方法。
【請求項２７】
少なくとも１種の１，３−ジブロモ−５，５−ジアルキルヒダントインが１，３−ジブロモ−５，５−ジメチルヒダントインを含んで成る請求項１７記載の方法。
【請求項２８】
食肉用四つ足動物をウシ、ブタおよびヒツジから選択する請求項３記載の方法。
【請求項２９】
接触を少なくとも、処理中に皮を剥ぐ動物の屠体から皮を剥ぐ前、間および／または後に実施する請求項３記載の方法。
【請求項３０】
接触を少なくとも、処理中に皮を剥ぐ動物の屠体から皮を剥ぐ前および／または間に実施する請求項３記載の方法。
【請求項３１】
接触を少なくとも、処理中に皮を剥ぐ動物の屠体から皮を剥ぐ前に実施する請求項３記載の方法。
【請求項３２】
接触を少なくとも、処理中に毛を取り除く動物の屠体から毛を取り除く前、間および／または後に実施する請求項３記載の方法。
【請求項３３】
接触を少なくとも、処理中に皮膚を取り除く動物の屠体から皮膚を取り除く前、間および／または後に実施する請求項３記載の方法。
【請求項３４】
接触を少なくとも、処理中に剛毛を取り除く動物の屠体から剛毛を取り除く前および／または後に実施する請求項３記載の方法。
【請求項３５】
接触を少なくとも、処理中に剛毛を取り除く動物の屠体から剛毛を焦がす方法以外の方法で取り除いている間に実施する請求項３記載の方法。
【請求項３６】
動物を去勢牛、若い雌牛、乳牛、子牛および雄牛から選択し、そして接触を少なくとも、頭および／もしくはすねを取り除く前に１回以上実施し、そして／または少なくとも頭および／もしくはすねを取り除いている間に１回以上実施し、そして／または少なくとも頭および／もしくはすねを取り除いた後に１回以上実施する請求項３記載の方法。
【請求項３７】
動物を去勢牛、若い雌牛、乳牛、子牛および雄牛から選択する請求項２９−３１のいずれか記載の方法。
【請求項３８】
動物を去勢雄豚、大人の雌豚、雌豚、去勢豚、雄豚および子豚から選択する請求項３４または請求項３５記載の方法。
【請求項３９】
動物を去勢牛、若い雌牛、乳牛、子牛および雄牛から選択し、そして接触を少なくとも（ｉ）屠体解体中および／または（ｉｉ）屠体解体後に１回以上実施する請求項２８記載の方法。
【請求項４０】
動物を去勢牛、若い雌牛、乳牛、子牛および雄牛から選択し、そして接触を少なくとも（ｉ）最終的洗浄中および／または（ｉｉ）最終的洗浄後に１回以上実施する請求項２８記載の方法。
【請求項４１】
動物を去勢牛、若い雌牛、乳牛、子牛および雄牛から選択しそして接触を少なくとも（ｉ）冷却中に１回以上および／または（ｉｉ）冷却後に１回以上実施する請求項２８記載の方法。
【請求項４２】
冷却後に接触を少なくとも（ｉ）屠体切断および骨除去中に１回以上および／または（ｉｉ）屠体切断および骨除去後に１回以上実施する請求項４１記載の方法。
【請求項４３】
動物を去勢牛、若い雌牛、乳牛、子牛および雄牛から選択し、そして接触を少なくとも熱骨除去中に１回以上実施する請求項２８記載の方法。
【請求項４４】
動物を去勢雄豚、大人の雌豚、雌豚、去勢豚、雄豚および子豚から選択し、そして接触を少なくとも屠体を熱湯消毒する前に実施する請求項２８記載の方法。
【請求項４５】
動物を去勢雄豚、大人の雌豚、雌豚、去勢豚、雄豚および子豚から選択し、そして接触を少なくとも、屠体の毛を除去しそして／もしくは屠体を焦がす間に実施および／または後に１回以上実施する請求項２８記載の方法。
【請求項４６】
動物を去勢雄豚、大人の雌豚、雌豚、去勢豚、雄豚および子豚から選択し、そして接触を少なくとも、屠体をこすりそして／もしくは磨く間に実施および／または後に１回以上実施する請求項２８記載の方法。
【請求項４７】
動物を去勢雄豚、大人の雌豚、雌豚、去勢豚、雄豚および子豚から選択し、そして接触を少なくとも、摘出中に実施および／または摘出後に１回以上実施する請求項２８記載の方法。
【請求項４８】
動物を去勢雄豚、大人の雌豚、雌豚、去勢豚、雄豚および子豚から選択し、そして接触を少なくとも、最終洗浄中に実施および／または最終洗浄後に１回以上実施する請求項２８記載の方法。
【請求項４９】
動物を去勢雄豚、大人の雌豚、雌豚、去勢豚、雄豚および子豚から選択し、そして接触を少なくとも冷却中に１回以上および／または冷却後に１回以上実施する請求項２８記載の方法。
【請求項５０】
動物を去勢雄豚、大人の雌豚、雌豚、去勢豚、雄豚および子豚から選択し、そして接触を少なくとも屠体解体中および／または屠体解体後の次の段階として実施する請求項２８記載の方法。
【請求項５１】
動物を去勢牛、若い雌牛、乳牛、子牛、雄牛、去勢雄豚、大人の雌豚、雌豚、去勢豚、雄豚および子豚から選択し、そして接触を少なくとも屠体の切断および骨除去中に１回以上実施する請求項２８記載の方法。
【請求項５２】
殺微生物剤溶液を生じさせる時に用いる少なくとも１種の１，３−ジブロモ−５，５−ジアルキルヒダントインが、アルキル基の中の一方がメチル基でありそしてもう一方のアルキル基が炭素原子を１から約４個の範囲内で含有する少なくとも１種の１，３−ジブロモ−５，５−ジアルキルヒダントインである請求項２８−３６または３９−５１のいずれか記載の方法。
【請求項５３】
殺微生物剤溶液を生じさせる時に用いる少なくとも１種の１，３−ジブロモ−５，５−ジアルキルヒダントインが、アルキル基の中の一方がメチル基でありそしてもう一方のアルキル基が炭素原子を１から約４個の範囲内で含有する少なくとも１種の１，３−ジブロモ−５，５−ジアルキルヒダントインである請求項３７記載の方法。
【請求項５４】
殺微生物剤溶液を生じさせる時に用いる少なくとも１種の１，３−ジブロモ−５，５−ジアルキルヒダントインが、アルキル基の中の一方がメチル基でありそしてもう一方のアルキル基が炭素原子を１から約４個の範囲内で含有する少なくとも１種の１，３−ジブロモ−５，５−ジアルキルヒダントインである請求項３８記載の方法。
【請求項５５】
殺微生物剤溶液を生じさせる時に用いる少なくとも１種の１，３−ジブロモ−５，５−ジアルキルヒダントインが１，３−ジブロモ−５，５−ジメチルヒダントインである請求
項５２記載の方法。
【請求項５６】
殺微生物剤溶液を生じさせる時に用いる少なくとも１種の１，３−ジブロモ−５，５−ジアルキルヒダントインが１，３−ジブロモ−５，５−ジメチルヒダントインである請求項５３記載の方法。
【請求項５７】
殺微生物剤溶液を生じさせる時に用いる少なくとも１種の１，３−ジブロモ−５，５−ジアルキルヒダントインが１，３−ジブロモ−５，５−ジメチルヒダントインである請求項５４記載の方法。
【請求項５８】
接触で用いる殺微生物剤溶液にＢｒ２として残存する臭素が約４００ｐｐｍ以下である請求項５２記載の方法。
【請求項５９】
接触で用いる殺微生物剤溶液にＢｒ２として残存する臭素が約４００ｐｐｍ以下である請求項５３記載の方法。
【請求項６０】
接触で用いる殺微生物剤溶液にＢｒ２として残存する臭素が約４００ｐｐｍ以下である請求項５４記載の方法。
【請求項６１】
接触で用いる殺微生物剤溶液にＢｒ２として残存する臭素が約４００ｐｐｍ以下である請求項５５記載の方法。
【請求項６２】
接触で用いる殺微生物剤溶液にＢｒ２として残存する臭素が約４００ｐｐｍ以下である請求項５６記載の方法。
【請求項６３】
接触で用いる殺微生物剤溶液にＢｒ２として残存する臭素が約４００ｐｐｍ以下である請求項５７記載の方法。
【請求項６４】
残存する臭素が約１００ｐｐｍ以下である請求項５８記載の方法。
【請求項６５】
残存する臭素が約１００ｐｐｍ以下である請求項５９記載の方法。
【請求項６６】
残存する臭素が約１００ｐｐｍ以下である請求項６０記載の方法。
【請求項６７】
残存する臭素が約１００ｐｐｍ以下である請求項６１記載の方法。
【請求項６８】
残存する臭素が約１００ｐｐｍ以下である請求項６２記載の方法。
【請求項６９】
残存する臭素が約１００ｐｐｍ以下である請求項６３記載の方法。
【請求項７０】
少なくとも１種の食肉用四つ足動物の屠体に由来する少なくとも１種の生肉製品および／または少なくとも１種の食肉用四つ足動物の屠体に由来する少なくとも１種の加工肉製品を処理する方法であって、前記少なくとも１種の生肉製品および／または前記少なくとも１種の加工肉製品を少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させることを含んで成る方法。
【請求項７１】
殺微生物剤溶液を生じさせる時に用いる前記少なくとも１種の１，３−ジブロモ−５，５−ジアルキルヒダントインが、アルキル基の中の一方がメチル基でありそしてもう一方のアルキル基が炭素原子を１から約４個の範囲内で含有する少なくとも１種の１，３−ジ
ブロモ−５，５−ジアルキルヒダントインである請求項７０記載の方法。
【請求項７２】
殺微生物剤溶液を生じさせる時に用いる前記少なくとも１種の１，３−ジブロモ−５，５−ジアルキルヒダントインが１，３−ジブロモ−５，５−ジメチルヒダントインである請求項７０記載の方法。
【請求項７３】
接触で用いる殺微生物剤溶液にＢｒ２として残存する臭素が約４００ｐｐｍ以下である請求項７０−７２のいずれか記載の方法。
【請求項７４】
Ｂｒ２として残存する臭素が約０．５から約２００ｐｐｍの範囲内である請求項７３記載の方法。
【請求項７５】
Ｂｒ２として残存する臭素が約０．５から約１００ｐｐｍの範囲内である請求項７３記載の方法。
【請求項７６】
Ｂｒ２として残存する臭素が約０．５から約５０ｐｐｍの範囲内である請求項７３記載の方法。
【請求項７７】
少なくとも１種の生肉製品に接触を受けさせる請求項７０−７２のいずれか記載の方法。
【請求項７８】
少なくとも１種の生肉製品を接触後に水で少なくとも５分以内濯ぐ請求項７７記載の方法。
【請求項７９】
少なくとも１種の生肉製品が、接触によって暗色になっていない、切り分けられた生牛肉である請求項７８記載の方法。
【請求項８０】
食肉用四つ足動物の屠体が微生物で汚染される度合を軽減する方法であって、少なくとも前記屠体を、少なくとも１種の１，３−ジブロモ−５，５−ジアルキルヒダントインと水から生じさせた殺微生物的に有効な生成溶液を含んで成る水性殺生物剤組成物と、前記屠体から皮、毛、剛毛もしくは皮膚を取り除く前、間および／または後に少なくとも１回接触させることを含んで成る方法。
【請求項８１】
接触を屠体から皮、毛、剛毛もしくは皮膚を取り除く直前に実施し、そして前記屠体から皮もしくは皮膚を取り除いている間および／または後に場合により追加的に実施してもよい請求項８０記載の方法。
【請求項８２】
接触を屠体から皮、毛、剛毛もしくは皮膚を取り除いている間に実施し、そして前記屠体から皮もしくは皮膚を取り除く前および／または後に場合により追加的に実施してもよい請求項８０記載の方法。
【請求項８３】
接触を屠体から皮、毛、剛毛もしくは皮膚を取り除いた後に実施し、そして前記屠体から皮もしくは皮膚を取り除く前および／または間に場合により追加的に実施してもよい請求項８０記載の方法。
【請求項８４】
接触を屠体から皮、毛、剛毛または皮膚を取り除いた後のみに１回以上実施する請求項８０記載の方法。
【請求項８５】
殺微生物剤溶液を生じさせる時に用いる少なくとも１種の１，３−ジブロモ−５，５−ジアルキルヒダントインが、アルキル基の中の一方がメチル基でありそしてもう一方のア
ルキル基が炭素原子を１から約４個の範囲内で含有する少なくとも１種の１，３−ジブロモ−５，５−ジアルキルヒダントインである請求項１−８のいずれか記載の方法。
【請求項８６】
食肉用四つ足動物の屠体および／または前記屠体に由来する生肉製品および／または前記屠体に由来する加工肉製品を処理する方法であって、
ａ）前記屠体、前記屠体に由来する生肉製品および／または前記屠体に由来する加工肉製品を少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させること、並びに
ｂ）前記屠体、前記屠体に由来する生肉製品および／または前記屠体に由来する加工肉製品に電離放射線、紫外線、マイクロ波、パルス光、電場、静水圧、音波処理、赤外線、オゾン処理およびオゾン洗浄から選択した少なくとも１種の汚染除去処理を受けさせること、
を含んで成っていてａ）およびｂ）をいずれかの順および／または同時に実施する方法。
【請求項８７】
殺微生物剤溶液を生じさせる時に用いる少なくとも１種の１，３−ジブロモ−５，５−ジアルキルヒダントインが、アルキル基の中の一方がメチル基でありそしてもう一方のアルキル基が炭素原子を１から約４個の範囲内で含有する少なくとも１種の１，３−ジブロモ−５，５−ジアルキルヒダントインである請求項８６記載の方法。
【請求項８８】
殺微生物剤溶液を生じさせる時に用いる少なくとも１種の１，３−ジブロモ−５，５−ジアルキルヒダントインが１，３−ジブロモ−５，５−ジメチルヒダントインである請求項８６記載の方法。
【請求項８９】
接触で用いる殺微生物剤溶液にＢｒ２として残存する臭素が約４００ｐｐｍ以下である請求項８６−８８のいずれか記載の方法。
【請求項９０】
Ｂｒ２として残存する臭素が約０．５から約２００ｐｐｍの範囲内である請求項８９記載の方法。
【請求項９１】
Ｂｒ２として残存する臭素が約０．５から約１００ｐｐｍの範囲内である請求項８９記載の方法。
【請求項９２】
Ｂｒ２として残存する臭素が約０．５から約５０ｐｐｍの範囲内である請求項８９記載の方法。
【発明の詳細な説明】
【背景技術】
【０００１】
肉および肉製品がいろいろな病原体、例えばリステリア、エシェリキア、サルモネラ、カンピロバクター種などによって汚染されることが長年に渡って存在する問題である。他のいろいろな殺微生物（ｍｉｃｒｏｂｉｏｃｉｄａｌ）材料が効力に関して調査されてきてはいるが、屠殺場で動物を処理する時の実際の実施で典型的に用いられている殺微生物性物質は特定の酸または塩素が基になった特定の殺生物（ｂｉｏｃｉｄａｌ）剤、例えば次亜塩素酸ナトリウムおよび次亜塩素酸カルシウムなどである。
【０００２】
非常に多数の四つ足動物がヒトまたはペットのいずれかが消費する肉および肉製品の目的で食肉処理されている。そのような動物には、例えばウシ、ブタ、ウマ、ヒツジ、バイソン、ウサギ、ラクダ、カンガルー、アリゲーター、クロコダイルおよび他のそのような現存もしくは潜在的食肉製品源、例えばバッファロー、ヤギおよびラマなどが含まれる。本明細書では、食料および食品で用いられる前記および他の肉生産用四つ足動物、例えばシカ、アンテロープ、エルク、リス、オポッサム、アライグマおよび雄牛などを時には集合的に食肉用四つ足動物と呼ぶ。また、用語「ウシ」をこれに去勢牛、若い雌牛、乳牛、子牛および雄牛を包含させる目的で一般的意味で用い、「ブタ」をこれに去勢雄豚、大人の雌豚、雌豚、去勢豚、雄豚および子豚を包含させる目的で一般的意味で用い、そして用語「ヒツジ」をこれに子羊、雄羊および雌羊を包含させる目的で一般的意味で用いる。
【０００３】
数多くの食肉用四つ足動物、特に牛肉または豚肉を得る動物は、最新技術が用いられている高生産量の食肉包装工場で処理される。最新の処理手順にも拘らず、新鮮な肉が細菌に汚染されることが、生きている食肉用四つ足動物を食品に変える時に望ましくないが、避けることのできない結果として起こる。現在のＧｏｏｄ  Ｍａｎｕｆａｃｔｕｒｉｎｇ
Ｐｒｏｃｅｄｕｒｅｓ（ＧＭＰ）および／または最近の政府規制によってそのような汚染を軽減することは可能であるが、新鮮な生肉から細菌を完全に除去することは達成されていない。健康な動物の場合には深い所に位置する筋肉組織は無菌であることから、そのような汚染は本質的に全部が屠体表面を源とする。動物の髪、皮および蹄に存在する土、埃および肥料が１つの大きな汚染源に相当する。加うるに、ある場合には、内部の器官を取り出す処理を行っている時にそれが崩壊する結果として屠体が更に汚染されることもある。
【０００４】
食肉用四つ足動物を食料の目的で処理する時に用いられる手順および装置の一般的性質は本分野の通常の技術者に良く知られている。実際、この分野に関する文献は広範に存在する。例えば典型的なウシ食肉操作は下記の段階を伴うとして非特許文献１に記述されている：ウシの受け取りおよび保持、気絶、放血、頭およびすねの除去、皮除去、摘出、屠体解体、最終的洗浄そして冷却。去勢雄豚の食肉処理に関して非特許文献１は下記の段階を示している：去勢雄豚の受け取りおよび保持、気絶、放血、熱湯消毒、脱毛、焦がし、こすりおよび磨き、摘出そして洗浄および冷却。他の著者は、同じ一般的ラインに沿ってはいるがある程度異なり得る説明を与えている。例えば、表題が「Ｏｖｅｒｖｉｅｗ  ｏｆ  Ｍｅａｔ  Ｐｒｏｃｅｓｓｉｎｇ」の章に記述されている如きウシの屠殺は、ある程度ではあるが、下記の処理段階を言及しかつ説明している：ウシの予備取り扱い、気絶および放血、ドレッシング（ｄｒｅｓｓｉｎｇ）および皮除去、摘出、そして切断および骨除去。加うるに、その章には、更に、屠体切断および骨除去はしばしば冷却後に行われることも説明しているが、最近の進展によって屠体がまだ温かい間に骨除去を行うことが可能であることも説明されており、それは「熱骨除去（ｈｏｔ  ｂｏｎｉｎｇ）」と呼ばれる方法である。同じ章に、ブタの屠殺段階は下記を包含するとして記述および説明されている：ブタの予備取り扱い、気絶および放血、脱毛および仕上げ、そして摘出および解体
［この後者の部分に、最終的に屠体を一晩急冷した後、切断および骨除去の処理を行うことが記述されている］。このように食肉用四つ足動物を食料の目的で処理する時に必要な段階および操作をよく知らない人は、その主題に関する広範な文献を参考にすることで多量の情報を得ることができるであろう。
【０００５】
食肉用四つ足動物を食料の目的で処理する時に数多くの段階が通常用いられることが、微生物および病原体が混入する機会を構成している。このように、食肉用四つ足動物を食料の目的で処理している間に動物の屠体またはそれの一部がそのように汚染される度合を軽減または汚染されないようにする新規な１種以上の方法の必要性が存在する。別の必要性は、そのような汚染を軽減またはなくす時に過剰な出費を伴わない１種以上の方法を提供することにある。さらなる必要性は、現存する屠殺場および／または食肉包装操作の過度の妨害を伴わない１種以上の方法を提供することにある。
【０００６】
この上に示した必要性を満足させること以外に、この上に示した必要性を満足させる目的で用いる方法によって屠体から得られる肉の品質または特性、特に肉の外観および味が顕著に劣化しないことが極めて重要である。
【０００７】
本発明を用いるとこの上に示した必要性を満足させることができかつ本発明の使用または方法の結果として屠体から得られる肉の品質も特性も顕著には悪化しないと考えている。
【非特許文献１】２００２年５月６日に開催されたＰａｔｈｏｇｅｎ  Ｒｅｄｕｃｔｉｏｎ  ＤｉａｌｏｇｕｅでＧ．Ｒ．Ａｃｕｆｆ（ＰｈＤ、Ｐｒｏｆｅｓｓｏｒ  ｏｆ  Ｆｏｏｄ  Ｍｉｃｒｏｂｉｏｌｏｇｙ、Ｔｅｘａｓ  Ａ  ＆  Ｍ  Ｕｎｉｖｅｒｓｉｔｙ）による概略
【発明の開示】
【０００８】
発明の簡単な要約
本発明は、（Ｉ）食肉として処理される食肉用四つ足動物（本明細書では以降便利さの目的でしばしば単に「動物」と呼ぶ）および／または（ＩＩ）前記動物の屠体および／または（ＩＩＩ）前記動物の屠体に由来する生肉製品および／または加工肉製品が微生物で汚染される度合を低くする方法を提供する。
【０００９】
本発明の１つの態様に従い、食肉用四つ足動物を処理する時、食肉処理に先立って、生きている食肉用四つ足動物の外側表面を少なくとも１種の１，３−ジブロモ−５，５−ジアルキルヒダントインと水性媒体を混合して殺微生物的に有効な水性組成物を生じさせることで生じさせた水性殺微生物剤組成物と接触させる。
【００１０】
本発明の別の態様では、動物屠体処理中の適切な１つ以上の段階で、屠殺した動物の屠体表面を少なくとも１種の１，３−ジブロモ−５，５−ジアルキルヒダントインと水性媒体を混合して殺微生物的に有効な水性組成物を生じさせることで生じさせた水性殺微生物剤組成物と接触させる。処理すべき動物屠体の種類に応じて、そのような接触を前記屠体から皮を剥ぐ前、間および／もしくは後、あるいは前記屠体から毛および／もしくは剛毛を除去する前または後に実施してもよい。
【００１１】
本発明の更に別の態様では、生肉製品および／または加工肉製品を調製する前、間および／または後の適切な１つ以上の段階で、前記製品を少なくとも１種の１，３−ジブロモ−５，５−ジアルキルヒダントインと水性媒体を混合して殺微生物的に有効な水性組成物を生じさせることで生じさせた水性殺微生物剤組成物と接触させる。生肉製品のいくつかの例には、ステーキ、チョップ、リブ部分、ミートローストカット、ハム、ロイン、動物器官およびひき肉が含まれる。加工肉製品のいくつかの例には、直ぐ食べられるデリ製品
、ソーセージ、フランクフルターおよび薄切り肉が含まれる。
【００１２】
１種以上の１，３−ジブロモ−５，５−ジアルキルヒダントインから生じさせた殺微生物的に有効な水性組成物を用いることで実質的な利点を達成することができる。１，３−ジブロモ−５，５−ジアルキルヒダントインは、他のハロゲン含有殺生物剤、例えば次亜塩素酸塩またはＮ，Ｎ’−ブロモクロロ−５，５−ジメチルヒダントインなどに比べてハロゲン量を等しくした時の効果がより高いことに加えて、用いられるいろいろな洗浄システム、シャワーシステム、スプレーシステムおよび／または噴霧システムのノズル、付属品、キャビネット、輸送具および他の部分を腐食する度合が低くて殺微生物的に有効な水性組成物を生じる。その上、１，３−ジブロモ−５，５−ジアルキルヒダントイン、例えば１，３−ジブロモ−５，５−ジメチルヒダントインなどは、抗菌剤としての効果がより高いことから、水性媒体に適切に低い使用濃度で導入することができ、それでも、高い殺微生物効果を示しかつ屠殺すべき生きている食肉用四つ足動物にかけた時にほとんど悪影響をもたらさない組成物を生じ得る。加うるに、１，３−ジブロモ−５，５−ジアルキルヒダントインは、当該組成物の凍結点のほんの僅か高い温度の如き低い温度から約７０℃の範囲に渡って安定でありかつこの温度範囲全体に渡って当該組成物を１，３−ジブロモ−５，５−ジアルキルヒダントイン１種または２種以上を低い使用濃度で用いて生じさせた時でさえ微生物および病原体に対して非常に有効である水性組成物を生じる。このように、本発明の殺微生物的に有効な組成物は、食肉用四つ足動物を少なくとも肉として処理する時に遭遇する温度条件の大部分（全部ではないにしても）下で有効に使用可能である。その上、実験の結果は、驚くべきことに、本発明を実施しても本発明の使用または方法の結果として屠体から得られる肉の品質も特性も顕著には劣化しないことが分かった。このように、１種以上の１，３−ジブロモ−５，５−ジアルキルヒダントインから生じさせた殺微生物的に有効な水性組成物は、抗微生物効果が極めて高いことと肉に対する悪影響がないことの組み合わせを有することから、また、生肉および／もしくは肉製品を調製する前、間および／または後のいずれかの段階でそれらを消毒しようとする時にも有効に使用可能である。
【００１３】
以下の説明、添付図および添付請求項から本発明のいろいろな態様および特徴が更に明らかになるであろう。
【００１４】
２００３年１月９日付けで公開された国際出願ＷＯ  ０３／００１９３１  Ａ１に、とりわけ、ハロゲンが基になった特定の殺微生物剤の水溶液、例えば臭素、塩素または塩化臭素またはこれらの中のいずれか２種または３種全部と水溶性のスルファミン酸塩アニオン源を水に入れることで生じさせた溶液など、またはハロゲン原子の中の一方が塩素原子でありそしてもう一方が塩素または臭素原子でありそしてアルキルが独立して１−４個の炭素原子を有する少なくとも１種の１，３−ジハロ−５，５−ジアルキルヒダントイン、または一方のアルキルがメチルでありそしてもう一方のアルキルが１−４個の炭素原子を有する少なくとも１種の１，３−ジブロモ−５，５−ジメチルダントインなどを家禽の処理でもたらされる家禽の屠体および／または部分を消毒する目的で用いることが記述されている。その用いる消毒処理によってニワトリの皮膚の色もニワトリの肉の味も悪影響を受けないことが示されている。処理された家禽の処理屠体は肉を覆う水を実質的に透過しないスキンを有する被膜を有している。それとは対照的に皮を剥いだ後の食肉用四つ足動物の屠体にはそのような水を透過しない保護用被膜を有していない。本明細書の以下で明らかになるであろうように、本発明の殺微生物的に有効な水性組成物と生牛肉を直接接触させた時にもたらされる肉色変化は僅かのみであることが分かり、このことは、本殺微生物剤を本発明に従って適切な比率で用いると肉の品質に悪影響を与えないことを示している。従って、食肉用四つ足動物、例えばウシなどを本発明の殺微生物的に有効な水性組成物で処理した場合、特に皮を剥ぐ前の動物そして／または皮を剥いだ後の前記動物の屠体を処理した場合には、また、肉の品質に対する影響があるとしてもほとんどないはずであ
る。
【００１５】
また、特に現代の高度に自動化されたプラントで行われる家禽処理で少なくとも冷却用タンクの中で当該殺微生物剤がこれの殺微生物活性を及ぼし得るには長時間、例えば１時間などを要することも注目に値する。それとは対照的に、ウシまたはブタの処理が行われる高処理量の食肉包装工場および屠殺場では、典型的に、相対的に時間が短い噴霧が用いられる。従って、そのような工場または屠殺場である殺微生物剤がそれの殺微生物活性を及ぼすために利用できる時間は、一般に、家禽を食肉製品として処理する工場の場合よりもかなり短い。
【００１６】
発明の更に詳細な説明
少なくとも（ｉ）水および（ｉｉ）少なくとも１種の１，３−ジブロモ−５，５−ジアルキルヒダントインを包含する成分を用いて本発明の殺微生物的に有効な水性組成物を生じさせる。前記成分を殺微生物的に有効な比率で混合するが、その比率を、いろいろな要因、例えば処理すべき動物種、動物を処理すべき時期（ｔｉｍｅ  ｏｆ  ｔｈｅ  ｙｅａｒ）、処理すべき動物を汚染している微生物の量、動物、屠体および／またはこれの一部が屠殺場または食肉包装工場で実施されるいろいろな操作中に接触する汚染の種類および度合、および処理または調製すべき目的物１種または２種以上（生きている動物、動物の屠体、生肉製品および／または加工肉製品であるかに拘わらず）の種類などに応じて変えることができる。しかしながら、一般的には、成分である水および少なくとも１種の１，３−ジブロモ−５，５−ジアルキルヒダントインの比率を水と１種以上の１，３−ジブロモ−５，５−ジアルキルヒダントインから生じさせた殺微生物剤が結果として生じる組成物中に有効な殺微生物量で存在するような比率にする。そのような組成物を生じさせる時、１種以上の１，３−ジブロモ−５，５−ジアルキルヒダントインを典型的には約４００重量部以下の量で１００万重量部の水と混合する［即ち、前記組成物を生じさせる時に用いる水の量を基準にして前記組成物を生じさせる時に用いる１，３−ジブロモ−５，５−ジアルキルヒダントイン１種または２種以上の量は約４００ｐｐｍ（重量／重量）以下である］。１種以上の１，３−ジブロモ−５，５−ジアルキルヒダントインを使用する水１００万重量部当たり約２００重量部以下、より好適には約１００重量部以下、更により好適には約５０重量部以下の量で混合することで好適な組成物を生じさせる。本発明の殺微生物的に有効な水性組成物、特に生肉製品および／または加工肉製品に消毒または汚染物除去を受けさせる時に用いる組成物を生じさせようとする時には、１種以上の１，３−ジブロモ−５，５−ジアルキルヒダントインを水１００万重量部当たり典型的には少なくとも約０．５重量部の最低量で用いる。本発明の殺微生物的に有効な水性組成物、特に生きている食肉用四つ足動物および／または前記動物の屠体に消毒または汚染物除去を受けさせる時に用いる組成物を生じさせようとする時には、１種以上の１，３−ジブロモ−５，５−ジアルキルヒダントインを水１００万重量部当たり好適には少なくとも約１０重量部、より好適には少なくとも２０重量部、更により好適には少なくとも５０重量部用いる。本発明に従って使用可能な濃度の範囲には下記が含まれることが前記から分かるであろう：約０．５から約４００ｐｐｍ、約０．５から約２００ｐｐｍ、約０．５から約１００ｐｐｍ、約０．５から約５０ｐｐｍ、約１０から約４００ｐｐｍ、約１０から約２００ｐｐｍ、約１０から約１００ｐｐｍ、約１０から約５０ｐｐｍ、約２０から約４００ｐｐｍ、約２０から約２００ｐｐｍ、約２０から約１００ｐｐｍ、約２０から約５０ｐｐｍ、約５０から約４００ｐｐｍ、約５０から約２００ｐｐｍおよび約５０から約１００ｐｐｍ。特に生きている食肉用四つ足動物および／または前記動物の屠体に消毒または汚染物除去を受けさせようとする場合には、１種以上の１，３−ジブロモ−５，５−ジアルキルヒダントインを水１００万重量部当たり約２０から約１００重量部の範囲の量で用いて生じさせた本発明の殺微生物的に有効な水性組成物が特に好適である。１種以上の１，３−ジブロモ−５，５−ジアルキルヒダントインを水１００万重量部当たり約０．５から約４００重量部の範囲内で用いることで、生肉製品および／または加工肉製品に消毒または汚染物除去を受けさせる時に用いるに好適な組成物を生じさせる。１種以上の１，３−ジブロモ−５，５−ジアルキルヒダントインを水１００万重量部当たり約５０から約２００重量部の範囲内で用いることで、生肉製品および／または加工肉製品に消毒または汚染物除去を受けさせる時に用いるにより好適な組成物を生じさせる。１種以上の１，３−ジブロモ−５，５−ジアルキルヒダントインを水１００万重量部当たり約５０から約１００重量部の範囲内で用いることで、生肉製品および／または加工肉製品に消毒または汚染物除去を受けさせる時に用いるに更により好適な組成物を生じさせる。
【００１７】
本発明の殺微生物的に有効な水性組成物を生じさせる目的で水に溶解させる１種以上の１，３−ジブロモ−５，５−ジアルキルヒダントインの量を表す別の様式は、残存臭素に換算した様式である。このように、本発明の実施では、水と少なくとも１種の１，３−ジブロモ−５，５−ジアルキルヒダントインである殺微生物剤を遊離臭素として残存する臭素が約４００ｐｐｍ（重量／重量）以下、好適には遊離臭素として約２００ｐｐｍ（重量／重量）以下になるような量で混合する。より好適には、水と混合する少なくとも１種の１，３−ジブロモ−５，５−ジアルキルヒダントインである殺微生物剤の量を遊離臭素として残存する臭素が約１００ｐｐｍ（重量／重量）以下、更により好適には遊離臭素として約５０ｐｐｍ（重量／重量）以下になるような量にする。特に、生肉製品および／または加工肉製品に消毒または汚染物除去を受けさせる目的で用いる組成物の場合には、典型的に、１種以上の１，３−ジブロモ−５，５−ジアルキルヒダントインに由来して遊離臭素として残存する臭素を少なくとも約０．５ｐｐｍ（重量／重量）の最低量で用いる。特に、生きている食肉用四つ足動物および／または前記動物の屠体に消毒または汚染物除去を受けさせる目的で用いる組成物の場合には、１種以上の１，３−ジブロモ−５，５−ジアルキルヒダントインに由来して遊離臭素として残存する臭素を好適には少なくとも約１０ｐｐｍ（重量／重量）、より好適には遊離臭素として少なくとも約２０ｐｐｍ（重量／重量）、更により好適には遊離臭素として少なくとも約５０ｐｐｍ（重量／重量）の最低量で用いる。特に、生きている食肉用四つ足動物および／または前記動物の屠体に消毒または汚染物除去を受けさせる場合には、１種以上の１，３−ジブロモ−５，５−ジアルキルヒダントインに由来して遊離臭素として残存する臭素が約２０ｐｐｍから約１００ｐｐｍ（重量／重量）の範囲内の本発明の殺微生物的に有効な水性組成物が特に好適である。生肉製品および／または加工肉製品に消毒または汚染物除去を受けさせる目的で用いる好適な組成物は、１種以上の１，３−ジブロモ−５，５−ジアルキルヒダントインに由来して遊離臭素として残存する臭素が約０．５から約４００ｐｐｍ（重量／重量）の範囲内の組成物である。生肉製品および／または加工肉製品に消毒または汚染物除去を受けさせる目的で用いるにより好適な組成物は、１種以上の１，３−ジブロモ−５，５−ジアルキルヒダントインに由来して遊離臭素として残存する臭素が約５０から約２００ｐｐｍ（重量／重量）の範囲内の組成物である。生肉製品および／または加工肉製品に消毒または汚染物除去を受けさせる目的で用いるに更により好適な組成物は、１種以上の１，３−ジブロモ−５，５−ジアルキルヒダントインに由来して遊離臭素として残存する臭素が約５０から約１００ｐｐｍ（重量／重量）の範囲内の組成物である。その生成溶液を典型的には約５から約３９℃の温度で用いるが、必要ならば、より高い温度、例えば約７０℃に及ぶ温度でも使用可能である。
【００１８】
本発明を適用することができる食肉用四つ足動物処理は一般に下記の２種類である。それらは、
Ｉ）本発明に従って用いる殺微生物的に有効な水性組成物を屠殺処理すべき生きている食肉用四つ足動物の外側表面にかける処理、および
ＩＩ）本発明に従って用いる殺微生物的に有効な水性組成物を肉および／または肉製品として処理すべき新しく食肉処理した食肉用四つ足動物の屠体にかける処理、
である。この上で述べたように、本発明を適用することができる別の分類の処理は下記である：
ＩＩＩ）本発明に従って用いる殺微生物的に有効な水性組成物を食肉処理した動物に由来する生肉製品および／もしくは加工肉製品に、前記生製品および／もしくは加工肉製品を調製および／もしくは処理する時に用いられる操作のいずれかを実施する前、間および／または後の適切ないずれかの段階１段階または２段階以上でかける処理。
【００１９】
種類Ｉの処理
前記から分かるであろうように、本発明に従う種類Ｉの処理は、動物がまだ屠殺されていない処理の初期段階の中の１つ以上の段階の実施中に動物の外側表面を接触させて、動物を処理することで生産すべき肉および／または肉製品が微生物で汚染される度合を軽減することに関する。そのような段階には、動物を屠殺する前（即ち動物がまだ生きている間）に前記動物に対して実施する予備取り扱い段階のいずれも含まれ、例えば動物を受け取りそして保持する段階、動物を気絶領域に移動させる段階、動物を気絶させる段階、そして気絶させた後であるが放血前の動物を取り扱うか或は移動させる段階などが含まれる。従って、本発明の１つの態様に従い、前記動物がまだ生きている間に実施する少なくとも１つの前記段階またはステップ中に動物の外側表面を本発明の殺微生物的に有効な１種以上の水性組成物と接触させる。
【００２０】
好適には、本発明の殺微生物的に有効な１種以上の組成物を生きている動物にかける前に、少なくとも水または洗剤水溶液をホースでかけるか或はそれらの噴霧を用いることで、動物の後四半身、脚および蹄そして糞便物が動物に存在する他の領域から糞便物を最初に除去しておく。
【００２１】
そのような好適な洗浄を実施するか否かに拘わらず、本発明に従い、その生きている動物に噴霧（ｓｐｒａｙｉｎｇ）、シャワー、霧吹き（ｍｉｓｔｉｎｇ）、部分浴、または本発明の殺微生物的に有効な少なくとも１種の水性組成物を動物の外側表面に前記動物がまだ生きている間にかけるに適した他のいずれかの方法を受けさせる。好適には、動物が放血（即ち、出血、従って屠殺）を実施すべき領域の中に入る前に、本発明の前記殺微生物的に有効な少なくとも１種の水性組成物を実質的に動物全体にかける。これは、例えば動物を保持領域から屠殺場または食肉包装工場に移動させる場所にシャワーゾーンおよび／またはスプレーゾーンを少なくとも１ゾーン設けることなどで達成可能である。その動物が前記ゾーン１ゾーンもしくは２ゾーン以上の中を通る時に、それらに本発明の殺微生物的に有効な１種以上の水性組成物を浴びせそして／または噴霧することで、前記動物の外側を前記組成物でぬらす。そのようなスプレーは固定式または連結式スプレーであってもよい。また、動物の皮を徹底的にぬらしてそして動物から屑が洗い流されることが確保されるように、そのシャワーおよび／またはスプレーの強度を変えてもよい。次に、好適には、前記動物を本発明の殺微生物的に有効な水性組成物が入っている浴の中を歩かせることで、前記動物の少なくとも下方脚領域および蹄を前記組成物で洗浄する。洗浄効率を向上させる目的で前記浴に下表面用強制スプレージェットを含めてもよい。そのような浴を屠殺場または食肉包装工場の外側に位置させそして／または少なくとも前記屠殺場または食肉包装工場の周囲領域に位置させるのが好適である、と言うのは、そのように位置させることは、本発明の実施によって屠殺場または食肉包装工場の中に持ち込まれる殺微生物剤混入量が有効に最低限になることを確保するに役立つであろうからである。それによって、今度は、その後に屠殺場または食肉包装工場内で実施する処理操作中に交差汚染が起こる可能性が大きく低下する。
【００２２】
本発明に従う種類Ｉの別の操作は、動物を屠殺場または食肉包装工場に移動させている時にスプレーの代わりにか或はスプレーに加えて本発明の殺微生物的に有効な水性組成物の霧を動物にかける操作である。また、ゾーンの中を通す順も多様であり得、例えば動物１匹または２匹以上を殺微生物的に有効な水性組成物が入っている浴の中を通して歩かせることを１種以上のシャワーおよび／またはスプレーを前記動物にかける前または同時に
実施してもよい。別の任意選択は、本発明の殺微生物的に有効な少なくとも１種の水性組成物を動物にかける噴霧ゾーンを本発明の殺微生物的に有効な少なくとも１種の水性組成物を前記動物に浴びせ、噴霧しそして／または前記動物をそれの浴に入れる（望まれる順が如何なる順であろうとも）ことを実施する１つ以上のゾーンの後に設ける選択である。簡単に述べると、本発明の殺微生物的に有効な少なくとも１種の水性組成物を生きている動物にかける時に用いる順は如何なる順であってもよい。そして、好適には、前記動物を屠殺場または食肉包装工場に向けて移動させている時そして／または前記動物が屠殺場または食肉包装工場の周囲領域に居る時にそのようにかけることを実施する。
【００２３】
本発明の更に別の態様は、１種以上のシャワーおよび／またはスプレーを生きている動物にかける新規な方法である。これを移動可能（ｐｏｒｔａｂｌｅ）シャワーおよび／またはスプレーストール（ｓｔａｌｌ）を用いて達成するが、前記ストールにまた霧化および／または部分浴ゾーンを含めることも可能である。動物または動物の行列を前記ストールの中に入れて通すことで、前記動物１匹または２匹以上の外側１つまたは２つ以上を本発明の殺微生物的に有効な少なくとも１種の水性組成物と接触させ（例えば浴びせる、噴霧するなど）た後、屠殺場または食肉包装工場に進行させるか或は更に進行させる。そのような移動可能なシャワーまたはスプレーストールを、１８個の車輪が付いたトラックトレーラーまたは列車の貨車である場所から別の場所に移動させるに適した大きさにしかつそれに適合させてもよいか、或はそれ自身をトラックトラクターまたは農場用トラクターである場所からある場所に移動させるに適した適切な車が備わっている一体式トレーラーとして構成させることも可能である。そのようなトレーラーにそれ自身の本発明の殺微生物的に有効な水性組成物の供給源を装備してもよいか、或は使用現場に位置させた前記組成物の供給源からトレーラーを引き出すことも可能である。同様に、本発明の殺微生物的に有効な水性組成物をシャワー１個または２個以上、スプレーおよび／または霧化装置に供給するポンプを駆動させる電力を搭載型電力供給もしくは発生装置で生じさせてもよいか、或は使用現場で電力を供給することも可能である。好適には、そのような移動可能シャワーおよび／またはスプレーストールの使用で生じた廃水をそのストール自身で集める。その回収した廃水から固体を除去した後に必要ならば本発明の殺微生物的に有効な追加的組成物を前記固体を除去しておいた廃水と混合し、その結果として得た廃水を前記移動可能シャワーおよび／またはスプレー室で再び用いてもよい。このような態様は特に小型の畜殺場の場合に有用であり、その場合には、動物を定期的に屠殺する回数は１回のみであるか或は比較的少ない数である、と言うのは、動物の屠殺操作を小型の畜殺場で実施すべき時に、移動可能シャワーおよび／またはスプレーストールをいろいろな小型の畜殺場で用いる目的で、ある場所からある場所に送ることができるからである。
【００２４】
本発明に従って生きている動物を浴に入れるゾーン、シャワーゾーン、スプレーゾーンおよび／または霧化ゾーンを２ゾーン以上用いる場合、そのようなゾーンで用いる本発明の殺微生物的に有効な個々の水性組成物の殺微生物的に有効な濃度は同じであってもよいか或は少なくとも２つの前記組成物の濃度を異ならせてもよい。実際の濃度範囲は典型的にこの上に記述した範囲であるが、その場合の必要性、例えば通常ではない環境、例えば動物の餌または飲料水の供給源が予想外に殺微生物剤で汚染されている（ｍｉｃｒｏｂｉｏｃｉｄａｌ  ｃｏｎｔａｍｉｎａｔｉｏｎ）場合、群れの中のいくつかの動物が病気の場合、輸送が遅れている場合などが理由で例外的な量の排泄物に動物がさらされるケースなどに適合させる目的でそれの量を多くすることも可能である。
【００２５】
本発明に従う前記種類Ｉの処理中に用いる本発明の殺微生物的に有効な水性組成物１種または２種以上の温度１つまたは２つ以上を適切な範囲に渡って異ならせてもよい。従って、用いる本組成物１種または２種以上は、加熱動物が保持領域から食肉処理場または食肉包装工場に進行する移動が向上するように動物が屠殺場または食肉包装工場に近づく時
または動物が気絶領域に近づく時に静かになることに役立つに適した温かい温度に加熱した後か、或は逆に冷却温度にまで冷却した後にかけてよい。また、本組成物１種または２種以上の温度を適切に調整することによって、密に詰められていることでストレスのかかった動物が熱に関連した病気（例えば熱射病）にならないようにするか或は少なくともその度合を軽減することができる。
【００２６】
この上に示した種類Ｉの処理の追加的利点の中には、１種以上の１，３−ジブロモ−５，５−ジアルキルヒダントインを水性媒体と混合することで生じさせた水性殺微生物剤組成物が示す殺微生物効果が前記化合物１種または２種以上を低い使用濃度で用いた時でも例外的に高い点にある。それによって、今度は、例えばスプレーが目にかかるか或は他の様式で動物の敏感な体部分と接触した場合に動物が不利な挙動反応を示す可能性が回避されるか或は少なくとも最小限になる。そのような動物の不利な挙動反応が回避されるか或は最小限になることは、動物を屠殺場または食肉包装工場および／または気絶領域に進行させる動きが乱されない点で有益である。
【００２７】
動物の食肉処理を定期的に１回のみまたは相対的に少ない動物に対して行う小型の畜殺場の操作では、この上に記述した操作をいろいろな方法で実施することができる。例えば、本発明の殺微生物的に有効な水性組成物の適切な供給源に各々をホースで取り付けておいた１個以上の手持ち加圧噴霧装置を用いてスプレーを動物１匹または２匹以上にかけることができる。別法として、例えばモップ、手持ちぼろ切れ、スポンジまたはこすり用はけを用いそして／または簡単に本発明の組成物を手桶またはバケツから生きている動物に散布することで本組成物をかけることも可能である。そのような操作の場合、そのかけた本発明の殺微生物的に有効な水性組成物によって動物の外側表面の有効な被覆が達成されることが確保される注意を払うべきである。また、作業者一人または二人以上の部分が化学品溶液に何度もさらされる可能性がある操作の場合には、如何なる操作でも、その作業者一人または二人以上は少なくとも水を透過しない手袋およびゴーグルを着用するのが望ましく、好適には、水を透過しない外衣も同様に着用するのが望ましい。この上で述べたように、本発明の殺微生物的に有効な水性組成物を動物にかける前に動物を水で洗浄しておくのが好ましい。
【００２８】
まだ生きている動物にとって望ましい結果がもたらされるように本発明の殺微生物的に有効な水性組成物を用いる他の場所（屠殺場または食肉包装工場の中の）は、動物を気絶させる領域および／または気絶させた動物を気絶後ではあるが放血を開始する前に取り扱う領域である。そのような取り扱いには、例えばその気絶させた動物を輸送しそして／または前記動物をコンベアシステムに取り付けることが含まれ得る。屠殺場または食肉包装工場の中のそのような場所で、本発明の殺微生物的に有効な水性組成物を気絶させた動物の外側表面にシャワーシステム、スプレーシステム、霧化システムまたは浴などで付着させるのが有利であり得る。そのような操作は、この上に記述したように動物を保持領域から屠殺場または食肉包装工場に向けて移動させている時そして／または屠殺場または食肉包装工場の周囲領域に存在する時に本発明の殺微生物的に有効な水性組成物を動物の外側表面に付着させることに加えてか或はそれの代わりに使用可能である。種類Ｉの処理を行う場合には全てのケースで、生きている動物を屠殺するに先立って前記動物に本発明の殺微生物的に有効な水性組成物を付着させる前に水または洗剤水溶液で少なくとも１回徹底的に洗浄することを確保するのが好適である。
【００２９】
また、本発明に従い、生きている動物を水または洗剤水溶液で洗浄した後、前記動物がまだ生きている間に、１種以上の界面活性剤または洗剤を本発明の殺微生物的に有効な水性組成物に入れることで生じさせた水性混合物を前記動物に付着させることも可能である。
【００３０】
種類ＩＩの処理
請求項を包含する本明細書のいずれかの場所で用いる如き用語「屠体」は、死んだ動物を肉に変える時に用いられる処理操作のいずれかの段階の食肉処理された食肉用四つ足動物の体を表す。従って、用語「屠体」には、（ｉ）食肉処理された動物の体全体、（ｉｉ）動物の胴体から頭および／または足を除去した後に残る胴体、（ｉｉｉ）切り取られた頭および切り取られた足自身、および（ｉｖ）２つに分割した後の胴体部分が含まれる。
【００３１】
請求項を包含する本明細書のいずれかの場所で用いる如き用語「中または間（ｄｕｒｉｎｇ）」は、（ｉ）所定操作を実施している時間全体または（ｉｉ）そのような所定操作を実施している時間の全部ではないが所定操作を実施している時間のある部分１部分または２部分以上のいずれかの時間を表す。例えば、語句「皮を剥いでいる間」は、示す特定のある事項を（ｉ）少なくとも皮を剥ぐ操作を所定の屠体に対して実施している時間全体、または別法として、（ｉｉ）皮を剥ぐ操作を所定の屠体に対して実施している時間全体ではなく１つ以上の時間の間実施することを意味する。また、そのような皮を剥ぐ操作（または他の特定操作）は例えば皮を所定屠体に対して実施する操作の開始時から終了時まで連続的に動物から剥ぐ必要がある意味で連続的である必要はないことも注目されたい。そのような剥ぐことは操作（例えば皮を剥ぐ操作）全体を行っている間連続的であるか或は休みを伴わせて断続的であってもよく、従って、その特定の事項は、（ｉ）少なくとも所定の操作（例えば皮を剥ぐ操作）を所定の屠体に対して実施している時間全体で（そのような操作を実施している時に取る休みのいずれも包含）、または別法として、（ｉｉ）所定の操作（皮を剥ぐ操作）を所定の屠体に対して実施している時間全体ではなく１つ以上の時間の間（そのような操作を実施している時に取る休みのいずれも包含）、実施される。
【００３２】
請求項を包含する本明細書のいずれかの場所で用いる如き用語「生成溶液（ｐｒｏｄｕｃｔ  ｓｏｌｕｔｉｏｎ）」は、少なくとも水と１種以上の１，３−ジブロモ−５，５−ジアルキルヒダントインを一緒に混合することで生じさせた水溶液を表す。本理論的概念に従い、１，３−ジブロモ−５，５−ジアルキルヒダントインは、少なくともある程度ではあるが、それを水性媒体に溶解させると元々の化学的構造を失い、そしてその結果としてもたらされた組成物は、それが何であり得ようとも、本明細書では、「生成溶液」であるとして表す、と言うのは、それはそのような特定の成分から生じさせたものであるからである。
【００３３】
請求項を包含する本明細書のいずれかの場所で用いる如き用語「直前に（ｄｉｒｅｃｔｌｙ  ｐｒｅｃｅｄｅｓ）」は、特定の事項（例えば屠体を水性殺微生物剤組成物と接触させること）を次の操作（例えば皮または皮膚を除去する操作）を始める前に実施すること、つまりその特定の事項を実施する場所から次の操作を実施する場所に屠体を移送する以外は介在する操作を全く実施することがないことを意味する。
【００３４】
本発明の１つの態様に従い、少なくとも１種の食肉用四つ足動物の非摘出屠体の外側表面を本発明の殺微生物的に有効な水性組成物とすく１回接触させる。この接触は、前記屠体を本発明の殺微生物的に有効な水性組成物の中に浸漬するか、前記屠体に本発明の殺微生物的に有効な水性組成物を浴びせる（ｓｈｏｗｅｒｉｎｇ）か、噴霧する（ｓｐｒａｙｉｎｇ）か或は霧をかける（ｍｉｓｔｉｎｇ）か、或は皮を剥ぐ前、間および／もしくは後、または毛および／もしくは剛毛を除去した後であるが各場合とも摘出を行う前に本発明の殺微生物的に有効な水性組成物が屠体と直接接触するようにそれをかける他のいずれかの方法を用いて実施してもよい。このように、皮を剥いだ後に中間的水洗浄を伴わせるか或は伴わせないで摘出を実施する動物処理の場合、本発明のこの態様における接触を摘出操作を始める前であるが皮を剥ぐ段階の前、間および／または後に行うべきである。摘出を行う前に皮を剥がない動物処理の場合（例えば屠体に焦がすことまたはせん断を受けさせて毛および／もしくは剛毛を除去した後に中間的水洗浄を伴わせるか或は伴わせないで摘出を実施する場合）、通常は、本発明のこの態様における接触を摘出操作を始める前であるが、焦がしまたはせん断を行った後に実施すべきである。また、前記除去を焦がす方法以外の方法で実施する時には、前記接触を毛および／または剛毛を除去している間に実施することも可能である。そのようないずれの場合にも（即ち摘出前に皮を剥ぐか或は皮を剥がない場合）、間隔を開けて吊るした屠体を移動させるラインの中で前記接触を各屠体の露出表面が本発明に従って用いる殺微生物剤水溶液でぬらされ、かつ少なくとも５秒間、好適には少なくとも３０秒間ぬれたままであるように実施すべきである。また、いずれの場合にも、本発明の殺微生物的に有効な水性組成物を前以て加熱しておくことで、その溶液を摘出前の屠体にかける時のスプレーまたは霧の温度を室温以上であるが約７０℃以下の温度、好適には約３９℃以下の温度にする。そのような加熱によって本発明の殺微生物的に有効な水性組成物が示す殺生物活性が実質的に低下することはないことから、本組成物は、そのように加熱することができることから、自動化食肉処理場で実施されている通常の処理ライン速度が過度に遅くなることはないことが確保される。
【００３５】
本発明の殺微生物的に有効な水性組成物を皮剥ぎ中の動物の屠体にかける場合、そのかける方法として噴霧または霧化のいずれかを用いるのが便利である。このようにして、本発明の殺微生物的に有効な水性組成物を皮剥ぎ中に屠体にかける操作が悪化することがないようにする目的で通常の皮剥ぎ操作を実質的に変える必要はない。
【００３６】
本発明の１つの好適な態様では、間隔を置いて吊るした一連の非摘出動物屠体をスプレーゾーン、例えば屠体がスプレーゾーンの中を通る時に少なくとも１体の屠体の表面の上に本発明の殺微生物的に有効な水性組成物の少なくとも１種のスプレーまたはシャワーを、好適には複数のスプレーを向けさせるノズルおよび／またはスプレーヘッドが備わっている１つ以上のキャビネットまたはシャワーストール領域の中に通す。そのスプレーで覆うことで、その吊るされている屠体の表面の全部が本発明の殺微生物的に有効な水性組成物にさらされかつ接触することが確保されるべきである。この態様において、そのスプレーゾーンの中に入れる非摘出屠体は剥き出し（即ち皮が剥がれた）状態であるか或は皮も皮膚もそのままであるが毛および／もしくは剛毛が屠体から典型的には焦がし、せん断または毛および／もしくは剛毛を除去する他の適切な技術で除去された状態のいずれかであり、皮を剥ぐことと毛および／もしくは剛毛を除去することの間の選択は処理すべき動物の種類に依存する。例えば、ウシの場合には、典型的に、屠体をスプレーゾーンの中に入らせて本発明の殺微生物的に有効な水性組成物を用いた本発明の抗微生物処理を行う前に皮を剥いでおく一方、ブタの場合には、屠体をスプレーゾーンの中に入らせてそのような処理を行う前に典型的には屠体を焦がすことで表面の毛および／または剛毛を焼失させておく。屠体がスプレーゾーンを出た後、典型的には、その屠体に濯ぎ水による洗浄を適切な任意技術、例えば浸漬、噴霧、水中に沈めることなどで受けさせた後、摘出を受けさせるか、或は中間的な水洗浄を行わないで処理中の次の段階として摘出を受けさせる。
【００３７】
本発明の更に別の好適な態様は、本発明の殺微生物的に有効な水性組成物を摘出中の動物の屠体にかけることを伴う。正常または通常の摘出手順により妨害される可能性を最小限にする目的で、屠体に摘出を受けさせる時間の大部分（全部ではないにしても）の間、本発明の殺微生物的に有効な水性組成物を屠体に霧または低圧の微細スプレーとしてかけるのが好適である。そのような霧化または微細スプレーを用いることで、本発明の殺微生物的に有効な水性組成物で屠体および内臓の両方を徹底的にぬらすと同時にそのような操作の有効性が悪化しないことを確保する。そのような好適な態様の特別な利点は、本発明の非常に有効な水性殺微生物剤組成物を存在させかつ連続的にかけると内臓が崩壊した場合に起こる微生物または細菌の混入が迅速に防除される点にある。その結果として、そのような微生物または細菌の混入によって次に起こる屠体の汚染をラインの休止無しに回避することができる。この好適な態様の付属として、取り出した後の内臓を洗浄ゾーンに移送または運んでもよく、そのゾーンの中で前記内臓を本発明の殺微生物的に有効な水性組
成物が入っている浴の中に有効な微生物および細菌防除が確保されるに充分な時間浸漬する。
【００３８】
本発明のさらなる態様は、摘出を受けさせた屠体の内側および外側の屠体洗浄を屠体解体操作を行う前および／または間および／または後に実施する態様である。本発明に従ってそのように屠体の内側と外側の洗浄を実施する時、スプレー送達システム、例えばプローブまたはバイオネットなどを用いるのが好適であり、それを本発明に従って用いることで、本発明の殺微生物的に有効な水性組成物の加圧スプレーを屠体の内部空洞部の中にかけ、かつ別のスプレー送達システム、例えば一連のノズルなどを用い、そのようなシステムを用いることで、本発明の殺微生物的に有効な水性組成物を屠体の外部にかける。本発明の特に好適な態様では、そのようなスプレー送達システムを用いて屠体の内部空洞部にかける本発明の殺微生物的に有効な水性組成物の殺微生物剤濃度（１，３−ジブロモ−５，５−ジアルキルヒダントイン１種または２種以上から生じさせた）の方を、スプレー送達システムを用いて屠体の外側にかける殺微生物剤（１，３−ジブロモ−５，５−ジアルキルヒダントイン１種または２種以上を水に入れることで生じさせた）の濃度よりも高くする。屠体の内部空洞部を洗浄する目的で用いる水に入れる殺微生物剤内容物を生じさせる目的で用いる１，３−ジブロモ−５，５−ジアルキルヒダントイン１種または２種以上および屠体の外側を洗浄する目的で用いる水に入れる殺微生物剤内容物を生じさせる目的で用いる１，３−ジブロモ−５，５−ジアルキルヒダントイン１種または２種以上の化学的組成は同じであってもよく、通常は同じである。しかしながら、そのような内側と外側を洗浄する目的で用いる本発明の殺微生物的に有効な個々の水性組成物を生じさせる時に化学的組成が異なる１，３−ジブロモ−５，５−ジアルキルヒダントイン１種または２種以上を用いることも可能である。
【００３９】
本発明の別の好適な態様では、摘出を受けさせた多数の吊るした動物屠体を冷却ゾーンの中に運ぶか或は他の様式で移送している時そして／またはそれらが冷却ゾーンの中に入った後、それらにそれらがまだ温かい間（即ち動物が生きている間の元々の体熱の全部が屠体から失われていない間）に本発明の殺微生物的に有効な水性組成物の少なくとも１種のスプレー、シャワーまたは霧吹きを受けさせることで、前記組成物が前記屠体の内部および外側の両方と接触するようにする。その吊るした屠体を冷却ゾーンに向けて移送している時、その移動している屠体への噴霧、浴びせまたは霧かけを適切な１個以上のスプレーまたは霧化キャビネット内でか或は１個以上のシャワーストールまたはシャワーゾーン内で実施してもよい。場合により、本発明の殺微生物的に有効な水性組成物をかけた後に濯ぎ水をかけてもよい。屠体が冷却ゾーンの中に入っている時、典型的には、固定された静止状態または回転し得る状態で、前記噴霧、浴びせまたは霧かけを適切な単一の時間の間（ｓｉｎｇｌｅ  ｐｅｒｉｏｄ  ｏｆ  ｔｉｍｅ）連続的に実施してもよいが、好適には、そのようなスプレー、シャワーまたは霧を屠体に定期的にかけてもよい。このような好適な態様は、特に、屠体に熟成を典型的には冷却ゾーン内で約６から約１６時間の範囲の時間受けさせた場合のウシを処理する時に用いるに有利である。そのようなスプレー、シャワーまたは霧をかけると、特にそれを熟成期間中に定期的に実施するならば、微生物の発生および増殖が有効に防止されるばかりでなく肉が柔らかさを失わないままである。それとは全く対照的に、肉が乾燥することも堅くなることもないように冷却ゾーンの中で熟成を実施している間にただの水のスプレー、シャワーまたは霧をかけると結果として細菌集団が爆発的に増殖する傾向がある。
【００４０】
本発明の別の特徴は、その摘出を受けさせて吊るした動物屠体を冷却ゾーンの中に移動させるか或は他の様式で移送している時そして／またはそれらが冷却ゾーンに入った後、それらに本発明の殺微生物的に有効な水性組成物による噴霧、浴びせまたは霧かけをそれ自身の温度が約１５℃以下、好適には約１０℃以下、より好適には約７℃以下の低温であるようにして受けさせるが、全てのケースで、その温度を本殺微生物剤溶液の凍結温度よ
り高い温度にする。従って、そのような操作で冷スプレー、シャワーまたは霧を用いることはいくつかの機能を果たすことが分かるであろう。まず最初に、冷スプレー、シャワーまたは霧を屠体にかけるとそれをそのような低温で用いたとしても優れた微生物および／または細菌防除がもたらされる。２番目として、冷スプレー、シャワーまたは霧を屠体にこれが冷却ゾーンの中に移動しているか或は他の様式で移送されている時そして／またはそれらが冷却ゾーンの中で入った直後にかけると、それは屠体の冷却（ｃｈｉｌｌｉｎｇ）に役立つ。３番目として、冷スプレー、シャワーまたは霧を所望の低温になるように既に充分に冷却されている（ｃｈｉｌｌｅｄ）屠体にかけると、その冷えている屠体の温度が実質的に高くなることはない。全てのケースで、そのスプレー、シャワーまたは霧の被覆によって、その吊るされている屠体の表面が本発明の殺微生物的に有効な水性組成物に接触することが確保されるべきである。
【００４１】
本発明の別の好適な態様に従い、３つの重要な動物処理段階またはステーションの中の少なくとも２つで本発明の殺微生物的に有効な水性組成物を用いることで食肉用四つ足動物、特にウシまたはブタの処理における有効な殺微生物制御をもたらし、それによって、生産性に実質的な影響を与えることなく、過塩素酸塩または塩素を用いて生じさせた他の殺微生物剤を用いた時よりも有効な殺微生物制御を達成する。
【００４２】
より詳細には、そのような本発明の好適な態様に従い、本発明の殺微生物的に有効な水性組成物を生じさせる目的で少なくとも１種の１，３−ジブロモ−５，５−ジアルキルヒダントインで処理しておいた水を食肉用四つ足動物の屠体と下記の３操作の中の少なくとも２操作を行っている間に接触させる：（１）皮を剥ぐ前、間および／もしくは後または毛および剛毛を除去する前および／もしくは後そしてある場合には焦がす以外の方法で毛および／もしくは剛毛を除去している間、（２）摘出中、および（３）冷却（ｃｈｉｌｌｉｎｇ）直前および／または冷却（ｃｈｉｌｌｉｎｇ）中。そのような３つの操作の各々を実施する方法を本明細書の上に記述した。
【００４３】
特に好適な態様では、本発明の殺微生物的に有効な水性組成物をウシを最新技術の屠殺場で処理する時の下記の操作の中の少なくとも２つ、好適には少なくとも３つ、より好適には少なくとも４つ、最も好適には少なくとも５つで用いる：（１）皮剥ぎ、（２）皮剥ぎと摘出前の間の消毒、（３）摘出、（４）屠体解体、（５）最終洗浄および（６）冷却（ｃｈｉｌｌ）。（２）以外の操作を典型的には最新技術の屠殺場（勿論、如何なる操作にも本発明の殺微生物的に有効な水性組成物が用いられていない）でウシを処理する時に実施する。操作（２）は本発明のユニークな操作であると考えている操作である。本発明に従って操作（１）、（２）、（３）、（４）および（６）を実施する方法を本明細書の上に記述した。操作（５）、即ち最終洗浄操作では、そのような操作を実施するに便利な如何なる方法も本発明に従って使用可能であり、それを単に本発明の殺微生物的に有効な水性組成物を洗浄水のいくらかまたは全部に含有させることで実施する。
【００４４】
別の特に好適な態様では、本発明の殺微生物的に有効な水性組成物を最新技術の屠殺場でブタを処理する時に用いられる下記の操作の中の少なくとも２つ、好適には少なくとも３つ、最も好適には４つ全部で用いる：（１）皮剥ぎと摘出前の間の消毒、（２）摘出、（３）解体および（４）冷却（ｃｈｉｌｌ）。（１）以外の操作を典型的には最新技術の食肉処理場（勿論、如何なる操作にも本発明の殺微生物的に有効な水性組成物が用いられていない）でブタを処理する時に実施する。操作（１）は本発明のユニークな操作であると考えている操作である。本発明に従って操作（１）、（２）、（３）および（４）を実施する方法を本明細書の上に記述した。
【００４５】
本発明に従う噴霧操作を動物屠体処理ラインの中のいろいろな段階または場所の１つ以上で実施する時、本発明の殺微生物的に有効な水性組成物を動物屠体にかける目的で用い
るノズルは固定式または連結式ノズルであってもよい。加うるに、本発明の実施で用いる噴霧、浴びせまたは霧化段階を実施している間、回転式ブラシまたは本発明の殺微生物的に有効な水性組成物と屠体の間の接触を向上させる他の方法、例えば超音波エネルギーの使用などを利用することができる。その後、その屠体を奇麗な水で濯ぐ必要があるか或は望ましい場合には濯ぎを実施してもよい。そのような濯ぎ用水は新鮮な水または再循環させた水または両方の組み合わせであってもよい。再循環させた水を用いる場合、先行する使用で残存する不純物を有効に除去しておくべきである。
【００４６】
本発明のさらなる態様に従い、本発明のいろいろな態様を実施する時に生じる廃水の量を最小限にすることができる。例えば、吊るした多数の個々の屠体をいろいろな処理ステーションが備わっている処理ラインに通して移送するシステムでは、少なくとも１つの所定ステーションに、本発明の殺微生物的に有効な水性組成物を前記ラインのそのステーションに向ける流れを開始または停止させる装置と有効に連結している少なくとも１個の適切に位置させた移動感知器または検出器を装備する。その感知器で屠体がこの屠体にスプレー、シャワーまたは霧をかけるべきステーションの中の特定ゾーンの中に入ったことを検出した時点で、その感知器は、本発明の殺微生物的に有効な水性組成物を流すスイッチを入れるスタート−ストップ装置にシグナルを送る。その流れを維持した後、そのシステムを用いていろいろな方法で停止させる。１つの方法は、前以て決めておいた量のスプレー、シャワーまたは霧を屠体にかける充分な時間が経過した後にそのスプレー、シャワーまたは霧の流れが自動的に停止するように前記流れを前記ラインの中の前記ステーションの所を屠体が移動する速度と連携させて特定の時間持続させる方法である。
【００４７】
別の方法は、前以て決めておいた体積の液体流れがスプレー、シャワーまたは霧化装置に送られた後に流れを自動的に停止させる方法である。更に別の方法は、屠体が前記ステーションの中の２番目の位置に進行した時点で別の移動感知器または検出器で流れを停止させるシグナルをスタート−ストップ装置に送る方法である。そのような移動感知器または検出器をこれが屠体自身の存在を感知するように位置させてもよい。別法として、屠体を運ぶシステムの適切な部分、例えば屠体を吊るす機械用の移動担体、または屠体を吊るす機械またはそれの一部、例えば吊るされている屠体を保持するワイヤー、ケーブル、鎖、シャックルまたはフックなどの存在を感知するようにそれらを位置させることも可能である。
【００４８】
この上に示した廃水を最低限にする本発明の態様で用いるに適するように本技術分野で公知の適切な移動感知もしくは検出装置を適合させてもよい。エレベーターに入る人の存在を感知してエレベーターのドアを開いたままにするか或はドアを引っ込めるいわゆるエレクトリックアイは、通常に遭遇する感知装置として働く。他のいろいろな装置も公知である。例えば米国特許第６，６２３，３４８号を参照。
【００４９】
本発明で種類ＩＩの操作を実施する時、検査の目的ばかりでなく摘出の目的で屠体の切断を行う前および／または間に本発明の殺微生物的に有効な水性組成物を屠殺にかけてもよい。
【００５０】
種類ＩＩＩの処理
本発明に従うこの種類の処理は、屠殺した動物１種または２種以上に由来する生肉製品および／または加工肉製品を少なくとも１種の１，３−ジブロモ−５，５−ジアルキルヒダントインと水性媒体を混合して殺微生物的に有効な水性組成物を生じさせることで生じさせた水性殺微生物剤組成物と接触させることを含んで成る。この接触は、前記生肉および／もしくは肉製品の生成または調製前、中および／もしくは後の適切な１段階以上で実施すべきである。本発明の殺微生物的に有効な水性組成物を生肉および／または肉製品にかける方法はこの上に記述した方法とほぼ同じである。このように、噴霧、浸漬、入浴（
ｂａｔｈｉｎｇ）または浴びせ（ｓｈｏｗｅｒｉｎｇ）などの操作を用いることができる。また、小型の屠殺場または食肉包装工場では、本発明の殺微生物的に有効な水性組成物をかける目的で、手に持つスポンジまたは洗浄用布を用いることも可能である。その生肉製品および／もしくは加工肉製品またはこれらの前駆体を自動運搬装置、例えばコンベアベルト（これの上に前記製品または前駆体を担持させて運ぶ）、または移動するトラック、ベルトまたはケーブル（これを用いて前記製品または前駆体を吊るし、担持しそして運ぶ）を用いて移動させてもよい。
【００５１】
本発明の殺微生物的に有効な水性組成物と接触させることができる生肉の形態は、動物屠体に典型的に由来する如何なる形態であってもよい。そのような生肉製品の非限定例には、（ａ）切り分けられた肉、例えばステーキ、チョップ、リブ部分、ミートローストカット、ハム、ロイン、ベーコンおよび他の同様な切り分けられた肉、（ｂ）動物器官、例えば肝臓、腎臓、胃袋、小腸、舌および他の器官および器官部分、および（ｃ）生ひき肉、例えば牛のひき肉、豚のひき肉、生肉ソーセージなどが含まれる。本発明の殺微生物的に有効な水性組成物と接触させることができる加工肉製品の非限定例には、直ぐ食べられるデリ製品、ソーセージ、フランクフルター、薄切り肉、ジャーキーおよび他の加工肉製品が含まれる。
【００５２】
本発明の殺微生物的に有効な水性組成物をかけるに好適な生肉製品には、赤身の肉、赤身の肉部分、白身の肉および白身の肉部分が含まれる。本発明の殺微生物的に有効な水性組成物をウシから得られた生赤肉（ビーフ）またはブタから得られた生白肉（ポーク）にかけるのが最も好適である。
【００５３】
種類ＩＩＩの処理で用いる本発明の殺微生物的に有効な水性組成物は、水と少なくとも１種の１，３−ジブロモ−５，５−ジアルキルヒダントインである殺微生物剤を約０．５から約４００ｐｐｍ（重量／重量）の範囲の量で混合することで生じさせた組成物である。そのような組成物を生じさせる時に用いる１種以上の１，３−ジブロモ−５，５−ジアルキルヒダントインの個々の濃度を、処理すべき個々の生肉製品および／または加工肉製品に応じて変える。多くのケース、例えば切り分けられた生肉およびひき肉または薄く切られた肉製品の処理などでは、使用する組成物を生じさせる時に用いる１，３−ジブロモ−５，５−ジアルキルヒダントインである殺微生物剤の濃度を前記範囲の下限、例えば約０．５から約１００ｐｐｍ（重量／重量）の範囲内にし、ある場合には、約０．５から約５０ｐｐｍ（重量／重量）の範囲内の如き低濃度にする。言い換えれば、多くの場合、水と１種以上の１，３−ジブロモ−５，５−ジアルキルヒダントインから生じさせた組成物に残存する臭素を遊離臭素として約０．５から約１００ｐｐｍ（重量／重量）の範囲内にし、ある場合には、遊離臭素として約０．５から約５０ｐｐｍ（重量／重量）の範囲内の如く低くする。
【００５４】
図の言及
図１および２のブロック図を用いて、これらに限定するものでないが、それぞれウシおよびブタに適用した時の本発明を例示する。図１に示すウシ処理段階および図２に示すブタ処理段階から分かるであろうように、大型の最新技術の食肉処理場または食肉包装工場では典型的に一連の段階が用いられ得る。示す段階のいくつかは他の１つ以上の段階と組み合わせ可能でありかつ段階のいくつかは排除可能であると理解および評価されるべきである。その上、示す段階のいくつかは示した順とは異なる順でも実施可能である。それにも拘らず、図１および２は、本発明を生きている動物および食肉処理後の屠体に関して実施することを可能にする方法の少なくともいくつかを例示するものであると考えている。限られた度合ではあるが、また、本発明に従う生肉製品の処理も本図から理解され得るであろう。
【００５５】
ここに、図１を参照して、数字は、本発明に従って生きている動物、屠体またはそれの一部を本発明の殺微生物的に有効な水性組成物と接触させることができる典型的な段階を示している。このように、そのような接触は、１０の時点のウシ受け取りおよび保持中、そして／または１２の時点の生きている動物を気絶場所に送っている間、そして／または１４の時点の気絶させている間、そして／または１６の時点の気絶させた生きている動物を方血場所に送っている間に実施可能である。そのような接触をまた下記の段階の中のいずれかの１段階以上で実施することも可能である：１８の時点の頭およびすねを除去する前、そして／または２０の時点の頭およびすねを除去している間、そして／または２２の時点の皮を剥ぐ前、そして／または２４の時点の皮を剥いでいる間、そして／または２６の時点の摘出前、そして／または２８の時点の摘出の間。そのような処理地点で、通常用いられる２つの方策の中の１つを用いることができる。１つの方策では、本発明に従う接触を下記の段階の中の１つ以上の段階で実施してもよい：３０Ａの時点のトリミングおよび屠体洗浄前、そして／または３２の時点のトリミングおよび屠体洗浄中、そして／または３４の時点の切断および骨除去前、そして／または３６の時点の切断および骨除去中、そして／または３８の時点の冷却（ｃｈｉｌｌｉｎｇ）および冷貯蔵前、そして／または４２の時点の冷却（ｃｈｉｌｌｉｎｇ）および冷貯蔵中。２番目の方策では、本発明に従う接触を下記の段階の中の１つ以上の段階で実施してもよい：３０Ｂの時点の冷却（ｃｈｉｌｌｉｎｇ）前、そして／または４２の時点の冷却（ｃｈｉｌｌｉｎｇ）中、そして／または４４の時点の切断および骨除去前、そして／または４６の時点の切断および骨除去中、そして／または４８の時点の冷貯蔵前、そして／または５０の時点の冷貯蔵中。本発明に従い、図１に示した如き接触は方血中を除いて示した段階の中のいずれか１段階以上で実施してもよいことを特記する。これは好適に相当する、と言うのは、方血中に接触を実施すると動物から放出させた血液が希釈される傾向があるからである。しかしながら、本発明に従い、方血中に接触を実施することも可能である。
【００５６】
図２に、生きている動物、屠体またはそれの一部を本発明の殺微生物的に有効な水性組成物と接触させることができるブタ処理中の段階を図１と同様な様式で例示する。従って、そのような接触は、１１の時点のブタ受け取りおよび保持中、そして／または１３の時点の生きている動物を気絶場所に送っている間、そして／または１５の時点の気絶させている間、そして／または１７の時点の気絶させた生きている動物を方血場所に送っている間に実施可能である。そのような接触をまた下記の段階の中のいずれかの１段階以上で実施することも可能である：１９の時点の熱湯消毒前、そして／または２１の時点の熱湯消毒中、そして／または２３の時点の脱毛前、そして／または２５の時点の脱毛中、そして／または２７の時点の焦がし前、そして／または２９の時点のこすりおよび磨き前、そして／または３１の時点のこすりおよび磨き中、そして／または３３の時点の摘出前、そして／または３５の時点の摘出中、そして／または３７の時点の屠体解体前、そして／または３９の時点の屠体解体中、そして／または４１の時点の屠体冷却前、そして／または４３の時点の屠体冷却中、そして／または４５の時点の切断および骨除去前、そして／または４７の時点の切断および骨除去中、そして／または４９の時点の冷貯蔵前、そして／または５１の時点の冷貯蔵中。本発明に従い、図２に示した如き接触は方血中および焦がし中を除いて示した段階の中のいずれか１段階以上で実施してもよいことを特記する。方血中に接触を実施しないことは好適に相当する、と言うのは、方血中に接触を実施すると動物から放出させた血液が希釈される傾向があるからである。しかしながら、本発明に従い、方血中に接触を実施することも可能である。加うるに、焦がし中に接触を実施しないことは別の好適に相当する、と言うのは、焦がし中に水溶液を屠体にかけることは焦がし操作の実施で用いられる通常条件にそぐわないからである。しかしながら、焦がし条件を水溶液の存在によってそのような焦がし操作が過度の妨害を受けないように考案することができれば、本発明に従う接触をそのような環境下で利用することも可能である。
【００５７】
他の考慮
前記から明らかなように、本発明の殺微生物的に有効な１種以上の水性組成物を用いて生きている食肉用四つ足動物、食肉用四つ足動物の屠体および／または食肉用四つ足動物の屠体に由来する生肉製品および／または加工肉製品に微生物および細菌が混入しないように動物食肉処理場または食肉包装工場の中の１つ以上の特定場所でそれを有効に制御する。１種以上の１，３−ジブロモ−５，５−ジアルキルヒダントインを水に溶解させることで、本発明のそのような殺微生物的に有効な水性組成物を生じさせる。アルキル基の中の一方がメチル基でありそしてもう一方のアルキル基が炭素原子を１から約４個の範囲内で含有する１，３−ジブロモ−５，５−ジアルキルヒダントインが好適である。従って、そのような好適な殺生物剤には、１，３−ジブロモ−５，５−ジメチルヒダントイン、１，３−ジブロモ−５−エチル−５−メチルヒダントイン、１，３−ジブロモ−５−ｎ−プロピル−５−メチルヒダントイン、１，３−ジブロモ−５−イソプロピル−５−メチルヒダントイン、１，３−ジブロモ−５−ｎ−ブチル−５−メチルヒダントイン、１，３−ジブロモ−５−イソブチル−５−メチルヒダントイン、１，３−ジブロモ−５−ｓ−ブチル−５−メチルヒダントイン、１，３−ジブロモ−５−ｔ−ブチル−５−メチルヒダントインおよびそれらのいずれか２種以上の混合物が含まれる。そのような殺生物剤の中で、１，３−ジブロモ−５−イソブチル−５−メチルヒダントイン、１，３−ジブロモ−５−ｎ−プロピル−５−メチルヒダントインおよび１，３−ジブロモ−５−エチル−５−メチルヒダントインがそれぞれ費用効果の観点から前記群の中の好適、より好適および更により好適な員である。本発明に従って使用可能な前記殺生物剤の混合物の中では、１，３−ジブロモ−５，５−ジメチルヒダントインを成分の中の１つとして用いるのが好適であり、１，３−ジブロモ−５，５−ジメチルヒダントインと１，３−ジブロモ−５−エチル−５−メチルヒダントインの混合物が特に好適である。この群の殺微生物剤の中で最も好適な員は１，３−ジブロモ−５，５−ジメチルヒダントインである。この化合物は市場で商標ＸｔｒａＢｒｏｍ（商標）１１１殺微生物剤およびＸｔｒａＢｒｏｍ（商標）１１１Ｔ殺微生物剤（Ａｌｂｅｍａｒｌｅ  Ｃｏｒｐｏｒａｔｉｏｎ）の下で入手可能である。前記１，３−ジブロモ−５，５−ジアルキルヒダントインである殺生物剤の中の２種以上の混合物を本発明に従って用いる場合、その混合物の中の個々の殺生物剤の互いの比率は如何なる比率であってもよい。１，３−ジブロモ−５，５−ジアルキルヒダントイン１種または２種以上と一緒にモノ−Ｎ−ブロモ−５，５−ジアルキルヒダントイン１種または２種以上が主要ではない比率で存在する可能性があるが、そのような組成物はあまり好適ではない。
【００５８】
１，３−ジブロモ−５，５−ジアルキルヒダントインの製造方法は公知でありかつ文献に報告されている。特に好適な方法が２００１年７月２６日に公開されたＷＯ  ０１／５３２７０に記述されている。
【００５９】
本発明に従って用いる１，３−ジブロモ−５，５−ジアルキルヒダントイン１種または２種以上を水の中に直接混合して、本明細書に示すいろいろな段階または場所で用いてもよい。この目的で、中を流れる水の中に適切な量の殺微生物剤である１，３−ジブロモ−５，５−ジアルキルヒダントイン１種または２種以上を計量して入れる適切な分与装置を用いてもよい。別法として、微粉末化した１，３−ジブロモ−５，５−ジアルキルヒダントイン１種または２種以上を水に最終的な使用濃度より過剰な量になるように前以て決めておいた量で加えてもよく、そしてその結果として得た濃縮液を好適には撹拌しながら１種以上の異なる量の水で更に希釈することで、処理の個々の段階で用いるべき１種以上の処理された水組成物を生じさせてもよい。
【００６０】
１，３−ジブロモ−５，５−ジアルキルヒダントイン１種または２種以上と協力させて他の添加剤を用いることも可能であるが、但しそのような他の添加剤１種または２種以上が無毒であり、１，３−ジブロモ−５，５−ジアルキルヒダントイン１種または２種以上を水に溶解させて本発明に従って用いる処理された水を生じさせることで生じさせた水性
殺微生物剤溶液と適合しかつその処理された水が示す殺微生物効果を如何なる明らかな様式でも他の様式で損なわせないものであることを条件とする。「と協力させて」は、たいていは他の添加剤成分１種または２種以上を使用する水の中に個別に供給することを意味し、例えばそのような他の添加剤が普通の酸化剤で酸化され易い場合には、それを溶解していない１，３−ジブロモ−５，５−ジアルキルヒダントイン１種または２種以上と直接混合することは行わない。必要ならば、一般に、次亜ハロゲン酸塩（ｈｙｐｏｈａｌｉｔｅ）である漂白剤の水溶液と適合する添加剤、例えば特定のラジカル捕捉剤、キレート化剤、ｐＨ緩衝剤、界面活性剤、洗剤および重合体（例えば米国特許第６，５０６，７１８号またはこの主題に関して出版された他の文献などに詳細に記述されている）を用いることも可能である。また、１種以上の湿潤剤、ヒドロトロープ、増粘剤、消泡剤および前記判断基準を満たす同様な機能的添加剤を用いることも可能である。選択した適切な添加剤を用いる場合、それを１，３−ジブロモ−５，５−ジアルキルヒダントイン１種または２種以上と協力させて用いる時の各々の量は、その用いるそれがその特性を示すに充分な量であるべきである。そのような他の添加剤の製造業者による推奨がそれに関する指針として有用である。
【００６１】
好適には、１種の１，３−ジブロモ−５，５−ジアルキルヒダントインまたは２種以上の１，３−ジブロモ−５，５−ジアルキルヒダントインがそれで処理した水性媒体中の由来する単独の殺微生物活性源であるようにする。しかしながら、本発明は、（Ａ）少なくとも１種の１，３−ジブロモ−５，５−ジアルキルヒダントインおよび（Ｂ）適切に安定な適合し得る水性殺微生物剤組成物をもたらす他の少なくとも１種の殺微生物剤で処理しておいた水性媒体を前記操作で用いることを包含する。言い換えれば、（Ａ）と（Ｂ）から生じさせた溶液は、これを水性殺微生物剤組成物をもたらす量および比率で存在させた時に水性媒体中で互いに相溶すべきである。
【００６２】
接触または洗浄操作を本発明に従って用いると、それによって病原体、例えばリステリア、エシェリキア、サルモネラ、カンピロバクター種などが有効に防除される（肉製品から本質的に除去されないにしても）ことが確保される。その上、処理量が高いことが必須である大規模の食肉用四つ足動物処理ラインで本発明の殺微生物剤をそのような段階またはステーションで用いると、それは、この殺微生物剤が作用する時間が得られるように前記ラインの速度を遅くする必要がないほど高い効果を示す。このように、処理ラインを通常の速度で操作することができる（速度を速くすることができないにしても）。その上、個々の段階またはステーションで用いる水の各々を所定の１，３−ジブロモ−５，５−ジアルキルヒダントインである殺微生物剤を適切な殺微生物量で用いて処理することができ、このように、その工場全体で用いる前記殺微生物剤の種類は１種類のみであってもよく、従って、工場稼働の購入、貯蔵および棚卸しの面が簡単になる。実際、本発明の殺微生物的に有効な水性組成物を処理ラインの中の２つ以上の段階または場所で用いる本発明の態様では、殺微生物剤が同じ濃度で入っている水（即ち１種以上の１，３−ジブロモ−５，５−ジアルキルヒダントインを水に所定量で溶解させることでもたらされる同じ残存臭素）を複数の段階または場所の各々に向かわせる水に入れて用いることができる。
【００６３】
本発明のいろいろな態様を実施する時、本発明の殺微生物的に有効な水性組成物を生きている動物、動物屠体、生肉製品および／または加工肉製品にかける前および特に後に洗浄用水溶液を用いてもよい。そのような洗浄用水溶液には、様々な有用な追加的成分、例えば塩化ナトリウム、水酸化ナトリウム、ソルビン酸カリウム、重硫酸ナトリウム、乳酸、メタケイ酸ナトリウム、酸性化亜塩素酸ナトリウム、ペプチドである抗生物質、例えばナイシンなど、または同様な機能を果たす他の公知成分などのいずれかが入っていてもよい。
【００６４】
本発明の殺微生物的に有効な水性組成物そして場合により次の洗浄用溶液と接触させた
後の動物屠体、生肉製品および／または加工肉製品に追加的消毒操作を受けさせてもよい。このように、本発明の別の態様に従い、食肉用四つ足動物の屠体および／または前記屠体に由来する生肉製品および／または前記屠体に由来する加工肉製品を処理する方法を提供し、この方法は、（ａ）前記屠体、前記屠体に由来する生肉製品および／または前記屠体に由来する加工肉製品を少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させそして（ｂ）その結果としてもたらされた屠体、前記屠体に由来する生肉製品および／または前記屠体に由来する加工肉製品に電離放射線、紫外線、マイクロ波、パルス光、電場、静水圧、音波処理、赤外線、オゾン処理およびオゾン洗浄から選択した少なくとも１種の汚染除去処理を受けさせることを含んで成る。段階（ａ）および（ｂ）はいずれかの順および／または同時に実施可能である。
【００６５】
「残存臭素」を測定するに適した方法は公知であり、文献に報告されている。例えばＡｍｅｒｉｃａｎ  Ｐｕｂｌｉｃ  Ｈｅａｌｔｈ  Ａｓｓｏｃｉａｔｉｏｎ（１０１５  Ｆｉｆｔｅｅｎｔｈ  Ｓｔｒｅｅｔ、ＮＷ、Ｗａｓｈｉｎｇｔｏｎ、ＤＣ  ２０００５）のＳｔａｎｄａｒｄ  Ｍｅｔｈｏｄｓ  Ｆｏｒ  ｔｈｅ  Ｅｘａｍｉｎａｔｉｏｎ  ｏｆ  Ｗａｔｅｒ  ａｎｄ  Ｗａｓｔｅｗａｔｅｒ（ＩＳＢＮ  ０−８７５５３−２０７−１）、第１８版、１９９２、４−３６頁および４−３７頁；Ｈａｃｈ  Ｃｏｍｐａｎｙ（Ｌｏｖｅｌａｎｄ  Ｃｏｌｏｒａｄｏ）著、Ｈａｃｈ  Ｗａｔｅｒ  Ａｎａｌｙｓｉｓ  Ｈａｎｄｂｏｏｋ、第３版、１９９７の特に１２０６頁および１２０７頁；かつＨａｎｄｂｏｏｋ  ｏｆ  Ｉｎｄｕｓｔｒｉａｌ  Ｗａｔｅｒ  Ｃｏｎｄｉｔｉｏｎｉｎｇ、第７版［Ｂｅｔｚ  Ｌａｂｏｒａｔｏｒｉｅｓ，Ｉｎｃ．（Ｔｒｅｖｏｓｅ、ＰＡ  １９０４７）（Ｌｉｂｒａｒｙ  ｏｆ  Ｃｏｎｇｒｅｓｓ  Ｃａｔａｌｏｇ  Ｃａｒｄ  Ｎｕｍｂｅｒ：７６−２７２５７）、１９７６］の２４−２９頁を参照のこと。前記文献には典型的に「残存塩素」が言及されており、同じ技術を用いるが、臭素の原子重量の方が塩素のそれよりも高いことを考慮に入れることで、「残存臭素」を測定する。
【００６６】
用語「残存臭素（ｂｒｏｍｉｎｅ  ｒｅｓｉｄｕａｌ）」は、消毒で使用可能な処理水中に存在する臭素種の量を指す。残存量は、用いる分析試験方法に応じて、「遊離（ｆｒｅｅ）」または「全体（ｔｏｔａｌ）」のいずれかとして測定可能である。本ケースでは、残存臭素に関する数値を本明細書では遊離臭素を基にして示した。以下に示す「遊離塩素」用の分析手順を用いることで前記値を監視することができる。しかしながら、必要ならば、以下に示す「全塩素」用の分析手順を用いることで残存臭素を「全臭素」を基に監視することも可能である。いずれの場合にも、得る数値を塩素に換算し、従って、そのような値に２．２５をかけることで相当する臭素値を得る。典型的には、所定サンプルに関する「全臭素」を基にした値の方が同じ所定サンプルに関する「遊離臭素」を基にした値よりも高いであろう。理解にとって重要な点は、本発明は値を遊離塩素試験手順を用いてか或は全塩素試験手順を用いて測定したかに拘わらず（しかしながら、遊離塩素試験手順の使用を推奨する）、処理を受けさせた水性媒体中に実際に存在する残存臭素に関する。
【００６７】
低濃度の活性ハロゲンを測定する標準的試験はＤＰＤ試験として知られており、これはＰａｌｉｎが１９７４年に考案した古典的な試験手順が基になっている。Ａ．Ｔ．Ｐａｌｉｎ、「Ａｎａｌｙｔｉｃａｌ  Ｃｏｎｔｒｏｌ  ｏｆ  Ｗａｔｅｒ  Ｄｉｓｉｎｆｅｃｔｉｏｎ  Ｗｉｔｈ  Ｓｐｅｃｉａｌ  Ｒｅｆｅｒｅｎｃｅ  ｔｏ  Ｄｉｆｆｒｅｎｔｉａｌ  ＤＰＤ  Ｍｅｔｈｏｄｓ  Ｆｏｒ  Ｃｈｌｏｒｉｎｅ，Ｃｈｌｏｒｉｎｅ  Ｄｉｏｘｉｄｅ，Ｂｒｏｍｉｎｅ，Ｉｏｄｉｎｅ  ａｎｄ  Ｏｚｏｎ」、Ｊ．Ｉｎｓｔ．Ｗａｔｅｒ  Ｅｎｇ．、１９７４、２８、１３９を参照のこと。Ｐａｌｉｎ手順のいろいろな最新版が存在するが、推奨する試験版はＨａｃｈ  Ｗａｔｅｒ  Ａｎａｌｙｓｉｓ  Ｈａｎｄｂｏｏｋ，第３版、著作権１９９７に詳細に記述されている。「全塩素」（即ち活性塩素）用の手順は、３７９頁に見られる方法８１６７として前記出版物に示されている。簡
単に述べると、「全塩素」試験は、活性ハロゲンが入っている希水サンプルにＤＰＤ指示薬粉末を含んで成る粉末（即ち、Ｎ，Ｎ’−ジエンジフェニレンジアミン、ＫＩおよび緩衝剤）を導入することを伴う。存在する活性ハロゲン種がＫＩと反応するとヨウ素種がもたらされ、それがＤＰＤ指示薬を赤色／ピンク色に変える。その色の強度はサンプル中に存在する「全塩素」種（即ち活性塩素）の濃度に依存する。この強度を強度読み値を「全塩素」値（ｍｇ／Ｌ  Ｃｌ２で表す）に変換するように較正を受けさせておいた比色計で測定する。存在する活性ハロゲンが活性臭素の場合、そのｍｇ／Ｌ  Ｃｌ２で表す結果に２．２５を掛けることで、その結果を活性臭素のｍｇ／Ｌ  Ｂｒ２で表す。
【００６８】
より詳細には、ＤＰＤ試験手順は下記の通りである：
１．  水に存在していて「全塩素」試験に反応する種の量を測定する目的で、水サンプルを採取してから数分以内、好適には採取した後直ちに分析すべきである。
２．  水サンプルに存在していて「全塩素」試験に反応する種の量を試験するためのＨａｃｈ  Ｍｅｔｈｏｄ  ８１６７は、Ｈａｃｈ  Ｍｏｄｅｌ  ＤＲ  ２０１０比色計の使用を伴う。記憶させておいた塩素測定用のプログラム値をキーボード上の「８０」のキーを打つことで呼び出した後、その装置の側面に位置するダイヤルを回転させることで吸収波長を５３０ｎｍに設定する。２個の同じサンプル用セルに調査下の水を１０ｍＬの印の所まで入れる。前記セルの中の一方を任意にブランクとして選択する。２番目のセルにＤＰＤ  Ｔｏｔａｌ  Ｃｈｌｏｒｉｎｅ  Ｐｏｗｄｅｒ  Ｐｉｌｏｗの内容物を加える。それを１０−２０秒間振とうすることで混合するが、ピンク−赤色が現れることは、ＤＰＤ「全塩素」試験試薬に陽性反応を示す種が水中に存在することを示している。キーパッド上のＳＨＩＦＴ  ＴＩＭＥＲキーを押して３分間の反応時間を開始させる。３分後に前記装置が反応が完了したことを示すシグナルを発する。ブランクサンプル用のセルをＨａｃｈ  Ｍｏｄｅｌ  ＤＲ  ２０１０のサンプル室に入れた後、散乱光の影響を防止する目的でシールドを閉じる。次に、ＺＥＲＯキーを押す。数秒後にディスプレーが０．００ｍｇ／Ｌ  Ｃｌ２を表示する。次に、前記装置をゼロにする目的で用いたブランクサンプル用セルをＨａｃｈ  Ｍｏｄｅｌ  ＤＲ  ２０１０のセル室から取り出した後、ＤＰＤ「全塩素」試験試薬を添加しておいた試験サンプルを代わりに入れる。次に、ブランクに関して実施したようにして光シールドを閉じた後、ＲＥＡＤキーを押す。結果（ｍｇ／Ｌ  Ｃｌ２）が数秒以内にディスプレー上に表示される。これが調査下の水サンプルに入っている「全塩素」濃度である。塩素測定値が前記装置の測定範囲内になるようにする目的で試験サンプルをハロゲン要求のない水で希釈する必要があり得ることを注目すべきである。この希釈を当該サンプルの実際の塩素濃度を決定する時に考慮に入れる必要がある。
３．  遊離塩素を測定する１つの方法はＨａｃｈ  Ｍｅｔｈｏｄ  ８０２１である。この方法では、水サンプルに存在していて「遊離塩素」試験に反応する種の量を試験する。この試験はＨａｃｈ  Ｍｏｄｅｌ  ＤＲ  ２０１０比色計の使用を伴う。記憶させておいた塩素測定用のプログラム値をキーボード上の「８０」のキーを打つことで呼び出した後、その装置の側面に位置するダイヤルを回転させることで吸収波長を５３０ｎｍに設定する。２個の同じサンプル用セルに調査下の水を１０ｍＬの印の所まで入れる。前記セルの中の一方を任意にブランクとして選択する。ブランクサンプル用のセルをＨａｃｈ  Ｍｏｄｅｌ  ＤＲ  ２０１０のサンプル室に入れた後、散乱光の影響を防止する目的でシールドを閉じる。次に、ＺＥＲＯキーを押す。数秒後にディスプレーが０．００ｍｇ／Ｌ  Ｃｌ２を表示する。次に、前記装置をゼロにする目的で用いたブランクサンプル用セルをＨａｃｈ  Ｍｏｄｅｌ  ＤＲ  ２０１０のセル室から取り出す。２番目のセルにＤＰＤ  Ｆｒｅｅ  Ｃｈｌｏｒｉｎｅ  Ｐｏｗｄｅｒ  Ｐｉｌｌｏｗの内容物を加える。それを１０−２０秒間振とうすることで混合するが、ピンク−赤色が現れることは、ＤＰＤ「遊離塩素」試験試薬に陽性反応を示す種が水中に存在することを示している。直ち（試薬を添加して１分以内）に、調製しておいたサンプルをセルホルダーの中に入れる。次に、ブランクに関して実施したようにして光シールドを閉じた後、ＲＥＡＤキーを押す。結果（ｍｇ／Ｌ  Ｃｌ２）が数秒以内にディスプレー上に表示される。これが調査下の水サンプルに入っている「遊離塩素」濃度である。塩素測定値が前記装置の測定範囲内になるようにする目的で試験サンプルをハロゲン要求のない水で希釈する必要があり得ることを注目すべきである。この希釈を当該サンプルの塩素濃度を決定する時に考慮に入れる必要がある。
【００６９】
本発明の実施で達成可能な１つの最終的結果は、生きている動物自身によって食肉処理場もしくは食肉包装工場の中に持ち込まれる微小細菌混入の度合を最小限にすることによって前記食肉処理場または食肉包装工場内の微生物汚染を非常に有効に最小限にすることができると言った結果である。別の最終結果は、動物屠体処理ラインの段階または場所の各々で屠体および肉製品に微生物が混入する度合を非常に有効に最小限にすることができると言った結果である。加うるに、本発明を用いると、本発明に従って実施する殺微生物操作によって製品の味、官能的品質、外観および健全さが実質的な様式で全く悪影響を受けていない肉製品を提供することができる。そして、本発明を適切に実施するならば、動物屠体の処理で用いられている以前から公知の殺微生物剤、例えば次亜塩素酸塩などを匹敵する濃度で水に入れて用いた時に達成される微生物制御よりも有意に高い微生物制御を達成することができる。
【００７０】
この上に示したように、動物屠体およびそれの部分に対して起こる微生物および／または細菌の混入を有効に制御する目的で用いる方法が前記屠体に由来する肉の品質も特性も（特に肉の外観も味も）決して顕著に悪化させないことが極めて重要である。以下の実施例において、本発明は食肉用四つ足動物の屠体に由来する肉の品質も特性も（特に肉の外観も味も）決して顕著に悪化させない能力を有することを立証する。
【実施例】
【００７１】
個々の生肉サンプルを個別に試験物質と直接接触させて前記物質の各々が肉の品質に対して示す影響を測定する試験を実施した。使用した生肉はウシの内腿肉であった。試験材料は下記であった：（ａ）家庭用漂白剤（市販の次亜塩素酸塩漂白溶液）、（ｂ）塩素漂白剤としての含有量が５０ｐｐｍの水希釈家庭用漂白剤、（ｃ）２％の乳酸水溶液、そして本発明に従う（ｄ）１，３−ジブロモ−５，５−ジメチルヒダントイン（ＤＢＤＭＨ）を臭素として１００ｐｐｍ。個々の牛肉サンプル（各々約３０グラム）を８０ｍｍｘ４０ｍｍの結晶化用皿の中に入れた。前記試験サンプルの各々を個々の試験材料の中の１つ（３０．０グラム）に５分間接触させた。個々の試験材料の中に浸漬する牛肉サンプルはサンプル全体ではなかった。実際、使用した量は、各牛肉サンプルの片面がそれの試験材料と接触しないような量であった。５分間の接触後、試験材料と接触していた領域を脱イオン水で濯いだ後、ペーパータオルで軽くたたくことで乾燥させた。その処理した肉の色を数分後に未処理肉片のそれと比較し、かつまた試験材料の中の別の材料で処理した肉のサンプルとも比較した。市販の家庭用漂白溶液で処理した牛肉サンプルは非常に暗色であり、そして水で希釈した市販の家庭用漂白溶液で処理した牛肉サンプルの色の方が未処理の肉よりも若干暗かった。乳酸で処理した肉サンプルの色は未処理の牛肉の色と非常に類似しているように見えた。驚くべきことに、ＤＢＤＭＨと水から生じさせた本発明に従って用いる水性殺微生物剤組成物を用いて処理した牛肉サンプルの外観は未処理の牛肉のそれよりも若干明るかった。使用した試験材料が有する酸化電位を考慮に入れると、下記の効果を予測することができる：
家庭用漂白剤＞希漂白剤＞ＤＢＤＭＨ
また、漂白結果を基にして、ＤＢＤＭＨで処理した肉の外観は若干明るくなるよりもむしろ外観が暗くなるであろうと予測されていた。
【００７２】
本資料のどこかで化学名または化学式を用いて化合物を言及する場合、この言及が単数であるか或は複数であるかに拘らず、それらが別の物質［化学名または化学タイプで言及する］（例えば別の成分、溶媒など）に接触する前にそれらが存在するようにそれらを同定する。結果として生じる混合物または溶液中でどんな化学変化（もしあれば）が起ころ
うとも問題でない、と言うのは、そのような変化は特定の物質を本開示に従って要求する条件下で一緒にする結果として自然に起こる事であるからである。例として、語句「少なくとも１種の１，３−ジブロモ−５，５−ジアルキルヒダントインで処理した水」および同様な意味の語句は、言及する少なくとも１種の１，３−ジブロモ−５，５−ジアルキルヒダントインはこれを水性媒体、例えば水などと接触させる直前の特定の１，３−ジブロモ−５，５−ジアルキルヒダントインであることを表す。このように、その語句は、そのような化学品が水中で変化しないで存在することを示唆または意味することを意図するものでない。起こる変化はそのような物質を一緒にした結果として自然に起こる変化であり、従って、さらなる詳述は必要でない。
【００７３】
また、本請求の範囲で物質を現在時制（「含んで成る」、「である」など）で言及することがあり得るかもしれないが、そのような言及は、本開示に従ってそれを他の１種以上の物質に最初に接触、ブレンドまたは混合する直ぐ前の時間にそれが存在していたように当該物質を言及するものである。
【００７４】
冠詞「ａ」または「ａｎ」を本明細書で用いる場合、他の様式であると明らかに示すことができない限り、説明または請求項で示す冠詞が指す単一の構成要素に限定することを意図するものでなく、限定するとして解釈されるべきでない。むしろ、冠詞「ａ」または「ａｎ」を本明細書で用いる場合、本文で他の様式であると明らかに示さない限り、それに１種以上のそのような構成要素を包含させることを意図する。
【００７５】
本明細書で言及した資料は全部あたかも本資料に詳細に挙げる如く引用することによって全体が本明細書に組み入れられる。
【００７６】
本発明は添付請求項の精神および範囲内でかなりの変形を受け易い。
【図面の簡単な説明】
【００７７】
【図１】図１は、ウシ処理中に本発明に従って用いる殺微生物的に有効な水性組成物を本発明に従ってウシおよび／またはウシ屠体と接触させることができる典型的な段階を示すブロック図である。
【図２】図２は、ブタ処理中に本発明に従って用いる殺微生物的に有効な水性組成物を本発明に従ってブタおよび／またはブタ屠体と接触させることができる典型的な段階を示すブロック図である。
【図１】
2008525021.tif 000003
【図２】
2008525021.tif 000004
【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
肉および／または肉製品１種または２種以上として消費するための食肉用四つ足動物の処理方法であって、
Ｉ）生きている動物の外側表面を、少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させるが、前記接触を、動物を屠殺処理している途中であるが、放血により死ぬ前に少なくとも１回実施するか、或は
ＩＩ）放血後の前記動物の屠体を、少なくとも（ｉ）水および（ｉｉ）少なくとも１種の１，３−ジブロモ−５，５−ジアルキルヒダントインを一緒に混合することで生じさせた殺微生物剤溶液と接触させるか、或は
ＩＩＩ）前記屠体に由来する少なくとも１種の生肉製品および／または少なくとも１種の加工肉製品を、少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させるか、或は
ＩＶ）Ｉ）、ＩＩ）およびＩＩＩ）の中のいずれか２つまたは３つ全部を実施する、
ことを含んで成る方法。
【請求項２】
少なくともＩ）を実施する請求項１記載の方法。
【請求項３】
少なくともＩＩ）を実施する請求項１記載の方法。
【請求項４】
少なくともＩＩＩ）を実施する請求項１記載の方法。
【請求項５】
Ｉ）、ＩＩ）およびＩＩＩ）の中のいずれか２つまたは３つ全部を実施する請求項１記載の方法。
【請求項６】
少なくともI）を、屠殺場または食肉包装工場の外側周囲領域で、及び動物が、まだ生きている間に通るか或は通されるゾーンの中で少なくとも１回実施し、そして、前記ゾーン内で実施するＩ）における前記接触を、前記動物の外側表面に少なくとも（ｉ）水および（ｉｉ）少なくとも１種の１，３−ジブロモ−５，５−ジアルキルヒダントインを一緒に混合することで生じさせた殺微生物剤溶液を浴びせそして／または噴霧することで実施する、請求項１記載の方法。
【請求項７】
食肉用四つ足動物をウシ、ブタおよびヒツジから選択する請求項１−６のいずれか記載の方法。
【請求項８】
少なくとも１種の１，３−ジブロモ−５，５−ジアルキルヒダントインが１，３−ジブロモ−５，５−ジメチルヒダントインである請求項１−７のいずれか記載の方法。
【請求項９】
接触を少なくとも、処理中に剛毛を取り除く動物の屠体から剛毛を焦がす方法以外の方法で取り除いている間に実施する請求項３記載の方法。
【請求項１０】
動物を去勢牛、若い雌牛、乳牛、子牛および雄牛から選択し、そして接触を少なくとも、頭および／もしくはすねを取り除く前に１回以上実施し、そして／または少なくとも頭および／もしくはすねを取り除いている間に１回以上実施し、そして／または少なくとも頭および／もしくはすねを取り除いた後に１回以上実施する請求項３記載の方法。
【請求項１１】
動物を去勢牛、若い雌牛、乳牛、子牛および雄牛から選択し、接触を少なくとも、処理中に皮を剥ぐ動物から皮を剥ぐ前、間および／または後に実施する請求項３記載の方法。
【請求項１２】
動物を去勢雄豚、大人の雌豚、雌豚、去勢豚、雄豚および子豚から選択し、該接触を該動物の屠体から剛毛を取り除く前および／または後に実施する請求項９記載の方法。
【請求項１３】
動物を去勢牛、若い雌牛、乳牛、子牛および雄牛から選択し、そして接触を少なくとも
ａ）（ｉ）屠体解体中そして／もしくは（ｉｉ）屠体解体後に１回以上、
ｂ）（ｉ）最終洗浄中そして／もしくは（ｉｉ）は最終洗浄後に１回以上、
ｃ）（ｉ）冷却中に１回以上そして／もしくは（ｉｉ）冷却後に１回以上、
ｄ）（ｉ）屠体切断および骨除去中に１回以上そして／もしくは（ｉｉ）屠体切断および骨除去後に１回以上、または
ｅ）熱骨除去中に
実施する請求項３記載の方法。
【請求項１４】
動物を去勢雄豚、大人の雌豚、雌豚、去勢豚、雄豚および子豚から選択し、そして接触を少なくとも
ａ）屠体を熱湯消毒する前、
ｂ）屠体の毛を除去しそして／もしくは屠体を焦がす間および／または後に１回以上、
ｃ）屠体をこすりそして／もしくは磨く間および／または後に１回以上、
ｄ）摘出中そして／もしくは摘出後に１回以上、
ｅ）最終洗浄中にそして／もしくは最終洗浄後に１回以上、
ｆ）冷却中そして／もしくは冷却後に１回以上、
ｇ）屠体解体中および／または屠体解体後の次の段階として、または
ｈ）屠体の切断および骨除去中
に実施する請求項３記載の方法。
【請求項１５】
殺微生物剤溶液を生じさせる時に用いる少なくとも１種の１，３−ジブロモ−５，５−ジアルキルヒダントインが、アルキル基の中の一方がメチル基でありそしてもう一方のアルキル基が炭素原子を１から約４個の範囲内で含有する少なくとも１種の１，３−ジブロモ−５，５−ジアルキルヒダントインである請求項９−１４のいずれか記載の方法。
【請求項１６】
接触で用いる殺微生物剤溶液にＢｒ2として残存する臭素が約４００ｐｐｍ以下である請求項１５記載の方法。
【請求項１７】
少なくとも１種の食肉用四つ足動物の屠体に由来する少なくとも１種の生肉製品および／または少なくとも１種の食肉用四つ足動物の屠体に由来する少なくとも１種の加工肉製品を処理する方法であって、前記少なくとも１種の生肉製品および／または前記少なくとも１種の加工肉製品を少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させることを含んで成る方法。
【請求項１８】
殺微生物剤溶液を生じさせる時に用いる前記少なくとも１種の１，３−ジブロモ−５，５−ジアルキルヒダントインが、アルキル基の中の一方がメチル基でありそしてもう一方のアルキル基が炭素原子を１から約４個の範囲内で含有する少なくとも１種の１，３−ジブロモ−５，５−ジアルキルヒダントインである請求項１７記載の方法。
【請求項１９】
殺微生物剤溶液を生じさせる時に用いる前記少なくとも１種の１，３−ジブロモ−５，５−ジアルキルヒダントインが１，３−ジブロモ−５，５−ジメチルヒダントインである請求項１７記載の方法。
【請求項２０】
接触で用いる殺微生物剤溶液にＢｒ2として残存する臭素が約４００ｐｐｍ以下である請求項１７−１９のいずれか記載の方法。
【請求項２１】
Ｂｒ2として残存する臭素が約０．５から約２００ｐｐｍの範囲内である請求項２０記載の方法。
【請求項２２】
少なくとも１種の生肉製品に接触を受けさせる請求項１７−１９のいずれか記載の方法。
【請求項２３】
少なくとも１種の生肉製品が接触後に水で少なくとも５分以内濯がれ、少なくとも１種の生肉製品が接触によって暗色になっていない、切り分けられた生牛肉である請求項２２記載の方法。
【請求項２４】
食肉用四つ足動物の屠体が微生物で汚染される度合を軽減する方法であって、少なくとも前記屠体を、少なくとも１種の１，３−ジブロモ−５，５−ジアルキルヒダントインと水から生じさせた殺微生物的に有効な生成溶液を含んで成る水性殺生物剤組成物と、前記屠体から皮、毛、剛毛もしくは皮膚を取り除く前、間および／または後に少なくとも１回接触させることを含んで成る方法。
【請求項２５】
接触を
１）屠体から皮、毛、剛毛もしくは皮膚を取り除く直前に実施し、そして前記屠体から皮もしくは皮膚を取り除いている間および／または後に場合により追加的に実施するか、
２）屠体から皮、毛、剛毛もしくは皮膚を取り除いている間に実施し、そして前記屠体から皮もしくは皮膚を取り除く前および／または後に場合により追加的に実施するか、
３）屠体から皮、毛、剛毛もしくは皮膚を取り除いた後に実施し、そして前記屠体から皮もしくは皮膚を取り除く前および／または間に場合により追加的に実施するか、または
４）屠体から皮、毛、剛毛または皮膚を取り除いた後のみに１回以上実施する
請求項２４記載の方法。
【請求項２６】
殺微生物剤溶液を生じさせる時に用いる少なくとも１種の１，３−ジブロモ−５，５−ジアルキルヒダントインが、アルキル基の中の一方がメチル基でありそしてもう一方のアルキル基が炭素原子を１から約４個の範囲内で含有する少なくとも１種の１，３−ジブロモ−５，５−ジアルキルヒダントインである請求項１−５のいずれか記載の方法。
【請求項２７】
食肉用四つ足動物の屠体および／または前記屠体に由来する生肉製品および／または前記屠体に由来する加工肉製品を処理する方法であって、
ａ）前記屠体、前記屠体に由来する生肉製品および／または前記屠体に由来する加工肉製品を少なくとも（ｉ）水および（ｉｉ）少なくとも１種の１，３−ジブロモ−５，５−ジアルキルヒダントインを一緒に混合することで生じさせた殺微生物剤溶液と少なくとも１回接触させること、並びに
ｂ）前記屠体、前記屠体に由来する生肉製品および／または前記屠体に由来する加工肉製品に電離放射線、紫外線、マイクロ波、パルス光、電場、静水圧、音波処理、赤外線、オゾン処理およびオゾン洗浄から選択した少なくとも１種の汚染除去処理を受けさせること、
を含んで成っていてａ）およびｂ）をいずれかの順および／または同時に実施する方法。
【請求項２８】
殺微生物剤溶液を生じさせる時に用いる少なくとも１種の１，３−ジブロモ−５，５−ジアルキルヒダントインが、アルキル基の中の一方がメチル基でありそしてもう一方のアルキル基が炭素原子を１から約４個の範囲内で含有する少なくとも１種の１，３−ジブロモ−５，５−ジアルキルヒダントインである請求項２７記載の方法。
【請求項２９】
殺微生物剤溶液を生じさせる時に用いる少なくとも１種の１，３−ジブロモ−５，５−ジアルキルヒダントインが１，３−ジブロモ−５，５−ジメチルヒダントインである請求項２７記載の方法。
【請求項３０】
接触で用いる殺微生物剤溶液にＢｒ2として残存する臭素が約４００ｐｐｍ以下である請求項２７−２９のいずれか記載の方法。
【請求項３１】
Ｂｒ2として残存する臭素が約０．５から約２００ｐｐｍの範囲内である請求項３０記載の方法。
【国際調査報告】
2008525021.tif 000005
2008525021.tif 000006
2008525021.tif 000007